(57)【要約】【課題】上り高速通信チャネルのような通信チャネルが後発的に開始された場合の伝搬路状況の変化によって、既に存在する他の先発の上り通信チャネルの受信品質が影響を受ける場合があるという課題がある。【解決手段】第１の通信チャネルの受信品質を検出し、前記受信品質とインナーループ電力制御目標値に基づいて、前記無線通信装置からの前記第１の通信チャネルの送信電力を制御するインナーループ電力制御を行う。第2の通信チャネルによる通信を開始する前に前記インナーループ電力制御目標値に電力制御オフセットを加算する。【選択図】    図５
2006135485.tif 000002
【特許請求の範囲】
【請求項１】
無線ネットワーク制御装置と、無線通信装置と、を含む無線通信システムにおける無線基地局であって、
前記無線ネットワーク制御装置と通信する送受信手段と、
前記無線通信装置と通信し、前記無線通信装置から第１の通信チャネルと、第２の通信チャネルとを受信する無線送受信手段と、
前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記無線送受信手段が前記第2の通信チャネルによる通信を開始する前に前記インナーループ電力制御目標値に電力制御オフセットを加算する制御手段と、を備える無線基地局。
【請求項２】
前記送受信手段が、前記無線ネットワーク制御装置から前記電力制御オフセットを受信する、請求項１に記載の無線基地局。
【請求項３】
前記制御手段が、前記電力制御オフセットを生成する、請求項１に記載の無線基地局。
【請求項４】
前記電力制御オフセットが、前記無線基地局に接続している無線通信装置の数、前記第2の通信チャネルによる通信の開始に起因する干渉の増加、前記無線通信装置の送信電力の増加、前記無線基地局に接続している前記無線通信装置以外の他の無線通信装置の送信電力増加に起因する干渉の増加、及び、前記第１の通信チャネルによる通信のQoSの少なくとも1つに基づいて生成される、請求項３に記載の無線基地局。
【請求項５】
前記制御手段が、前記第２の通信チャネルによる通信の開始以降に、前記電力制御オフセットを加算した前記インナーループ電力制御目標値から前記電力制御オフセットを減算する、請求項１乃至４のいずれかに記載の無線基地局。
【請求項６】
前記無線送受信手段が、前記制御装置が前記インナーループ電力制御目標値に前記電力制御オフセットを加算した後、待機時間の経過後に、前記第２の通信チャネルによる通信を開始する、請求項１乃至５のいずれかに記載の無線基地局。
【請求項７】
前記無線送受信手段が、前記待機時間に関する情報を前記無線ネットワーク制御装置から受信する請求項６に記載の無線基地局。
【請求項８】
前記制御手段が、前記待機時間に関する情報を生成する、請求項７に記載の無線基地局。
【請求項９】
前記待機時間に関する情報が、前記インナーループ電力制御の速度及び前記電力制御オフセットに基づいて生成される、請求項８に記載の無線基地局。
【請求項１０】
前記制御手段が、前記無線受信手段を介して前記無線ネットワーク制御装置との間で前記インナーループ電力制御目標値を調整するアウターループ電力制御を実行し、前記インナーループ電力制御目標値に前記電力制御オフセットを加算した後に、前記アウターループ電力制御を中断し、前記アウターループ電力制御を中断した後、前記第２の通信チャネルによる通信の開始以降に、前記アウターループ電力制御を開始する、請求項１乃至９のいずれかに記載の無線基地局。
【請求項１１】
無線送受信手段が、前記無線通信装置に対して第２の通信チャネル制御情報を送信することによって、前記第２の通信チャネルによる通信を開始する、請求項１乃至１０のいずれかに記載の無線基地局。
【請求項１２】
前記無線送受信手段が、前記第２の通信チャネルによる通信の開始前に前記無線通信装置に対して第２の通信チャネル制御情報を送信し、前記無線送受信手段を介して前記無線通信装置に対して第２の通信チャネルによる通信開始許可通知を送信することにより前記第２の通信チャネルによる通信を開始する、請求項１乃至１０のいずれかに記載の無線基地局。
【請求項１３】
前記無線送受信手段が、前記第２の通信チャネル情報を前記無線ネットワーク制御装置から受信する、請求項１１または１２に記載の無線基地局。
【請求項１４】
前記第２の通信チャネル情報は、最大送信電力、送信タイミング、拡散コード、及びデータレートのうちの少なくとも１つを含む、前記請求項１１乃至１３のいずれかに記載の無線基地局。
【請求項１５】
前記インナーループ電力制御目標値は、信号電力対干渉電力比、及び1ビットあたりの信号電力対干渉電力比のうちいずれか１つである、請求項１乃至１４のいずれかに記載の無線基地局。
【請求項１６】
前記第２の通信チャネルが前記第１の通信チャネルよりも大きいデータレートの通信チャネルであり、前記第２の通信チャネルの送信電力が前記第１の通信チャネルの送信電力よりも大きい、請求項１乃至１５のいずれかに記載の無線基地局。
【請求項１７】
無線ネットワーク制御装置と、第１の無線通信装置と、第２の無線通信装置と、を含む無線通信システムにおける無線基地局であって、
前記無線ネットワーク制御装置と通信する送受信手段と、
前記第１及び第2の無線通信装置と通信し、前記第１の無線通信装置から第１の通信チャネルを受信し、前記第２の無線通信装置から第２の通信チャネルを受信する無線送受信手段と、
前記第１の通信チャネルの受信品質を検出し、前記受信品質とインナーループ電力制御目標値に基づいて前記第１の無線通信装置からの前記第１の通信チャネルの送信電力を制御するインナーループ電力制御を行い、前記無線送受信手段が前記第2の通信チャネルによる通信を開始する前に前記インナーループ電力制御目標値に電力制御オフセットを加算する制御手段と、を備える無線基地局。
【請求項１８】
前記無線通信システムが前記無線基地局と異なる第２の無線基地局を備え、前記制御手段が、直接または前記無線ネットワーク制御装置を介して、前記第２の無線基地局に対して、前記第2の通信チャネルによる通信の開始に関する情報を送信する、請求項１乃至１７のいずれかに記載の無線通信装置。
【請求項１９】
無線基地局と、前記無線基地局に対し第１及び第2の通信チャネルを送信することにより通信する無線通信装置と、を含む無線通信システムにおける無線ネットワーク制御装置であって、
前記無線基地局と通信する送受信手段と、
前記第２の通信チャネルによる通信の開始要求を認識し、前記送信手段を介して、前記無線基地局に対して電力制御オフセットを通知する制御手段と、を備え、
前記電力制御オフセットが、前記第1の通信チャネルに関する前記無線基地局と前記無線通信装置との間のインナーループ電力制御のインナーループ電力制御目標値に加算される、無線ネットワーク制御装置。
【請求項２０】
前記インナーループ電力制御は、前記無線通信装置の送信する前記第１の通信チャネルの前記無線基地局における受信品質とインナーループ電力制御目標値とに基づいて前記無線通信装置における前記第１の通信チャネルの送信電力を制御する、請求項１９に記載の無線ネットワーク制御装置。
【請求項２１】
前記無線受信手段が、前記無線基地局に対して待機時間に関する情報を通知し、前記待機時間は、前記インナーループ電力制御目標値に前記電力制御オフセットが加算されてから前記第２の通信チャネルによる通信の開始までの時間間隔となる、請求項１９または２０のいずれかに記載の無線ネットワーク制御装置。
【請求項２２】
前記制御手段が、前記インナーループ電力制御の速度及び前記電力制御オフセットに基づいて前記待機時間に関する情報を生成する、請求項２１に記載の無線ネットワーク制御装置。
【請求項２３】
前記電力制御オフセットが、前記無線基地局に接続している無線通信装置の数、前記第2の通信チャネルによる通信の開始に起因する干渉の増加、前記無線通信装置の送信電力の増加、前記無線基地局に接続している前記無線通信装置以外の他の無線通信装置の送信電力増加に起因する干渉の増加、及び、前記第１の通信チャネルによる通信のQoSの少なくとも1つに基づいて生成される、請求項１９乃至２２のいずれかに記載の無線ネットワーク制御装置。
【請求項２４】
無線基地局と、前記無線基地局に対し第１及び第2の通信チャネルを送信することにより通信する無線通信装置と、を含む無線通信システムにおける無線ネットワーク制御装置であって、
前記無線基地局と通信する送受信手段と、
前記送受信手段を介して前記無線基地局との間で、前記第1の通信チャネルに関して前記無線通信装置と前記無線基地局との間で行われるインナーループ電力制御のインナーループ電力制御目標値を調整するアウターループ電力制御を行い、前記第２の通信チャネルによる通信の開始要求を認識した後に前記アウターループ電力制御を停止し、前記第2の通信チャネルによる通信の開始を認識した後に前記アウターループ電力制御を開始する制御手段と、を備える無線ネットワーク制御装置。
【請求項２５】
前記制御手段が、前記第2の通信チャネルによる通信の開始されたことの通知を受信することによって、前記第2の通信チャネルによる通信の開始を認識する、請求項２４に記載の無線ネットワーク制御装置。
【請求項２６】
前記第２の通信チャネルによる通信の開始以前に、前記インナーループ電力制御目標値に電力制御オフセットが加算される、請求項２４または２５のいずれかに記載の無線ネットワーク制御装置。
【請求項２７】
前記第２の通信チャネルによる通信は、前記インナーループ電力制御目標値に前記電力制御オフセットが加算されてから、待機時間の経過後に開始され、
前記送受信手段は、前記待機時間に関する通知を前記無線基地局から受信し、
前記制御手段は、前記アウターループ電力制御を中断した後、前記待機時間に関する情報に応じた時間の経過後に前記アウターループ制御を開始する、請求２４乃至２６のいずれかに記載の無線ネットワーク制御装置。
【請求項２８】
前記制御手段が、前記第2の通信チャネルによる通信の開始要求を受信することによって前記第2の通信チャネルによる通信の開始要求を認識する、請求項２４乃至２７のいずれかに記載の無線ネットワーク制御装置。
【請求項２９】
前記無線通信システムが、前記無線基地局とことなる第2の無線基地局を含み、
前記制御手段が、前記第２の無線基地局に対して、前記第2の通信チャネルによる通信の開始に関する情報を送信する、請求項１９乃至２８のいずれかに記載の無線ネットワーク制御装置。
【請求項３０】
無線ネットワーク制御装置と無線基地局を含む無線通信システムの無線通信装置であって、
前記無線基地局に対して第１の通信チャネルと、前記第１の通信チャネルと異なる第２の通信チャネルと、を送信し、前記無線基地局から前記第２の通信チャネル制御情報及び前記第２の通信チャネルによる通信の開始許可通知の少なくとも１つを受信し、前記制御情報または前記開始許可通知に基づいて前記第２の通信チャネルによる通信を開始する無線送受信手段と、
前記無線送受信手段を介して前記無線基地局との間で、前記第１の通信チャネルの前記無線基地局における受信品質とインナーループ電力制御目標値とに基づいて前記第１の通信チャネルの送信電力を制御するインナーループ電力制御を行う、制御手段とを備え、
前記制御情報及び前記開始許可通知の少なくとも１つが、前記インナーループ電力制御の前記インナーループ電力制御目標値に電力制御オフセットが加算された後に、前記無線基地局から前記無線通信装置に対して送信される、無線通信装置。
【請求項３１】
無線ネットワーク制御装置と無線基地局を含む無線通信システムの無線通信装置であって、
前記無線基地局に対して第１の通信チャネルと、第２の通信チャネルと、を送信する、無線送受信手段と、
前記無線送受信手段を介して前記無線基地局との間で、前記第１の通信チャネルの前記無線基地局における受信品質とインナーループ電力制御目標値とに基づいて前記第１の通信チャネルの送信電力を制御するインナーループ電力制御を行い、前記インナーループ電力制御の前記インナーループ電力制御目標値に電力制御オフセットが加算された後に、前記無線送受信手段を介して前記第2の通信チャネルの送信を開始する制御手段と、を備える無線通信装置。
【請求項３２】
無線ネットワーク制御装置と、無線基地局と、複数の無線通信装置と、を含む無線通信システムの無線通信装置であって、
前記無線基地局に対して第２の通信チャネルを送信する無線送受信手段と、
前記複数の無線通信装置のうちの他の無線通信装置と前記無線基地局との間で行われる、第１の通信チャネルに関するインナーループ電力制御の電力制御目標値に電力制御オフセットが加算された後に、前記無線送受信手段を介して前記第２の通信チャネルの送信を開始する制御手段と、を備える無線通信装置。
【請求項３３】
無線ネットワーク制御装置と、無線基地局と、無線通信装置と、を備える無線通信システムであって、
前記無線基地局は、
前記無線ネットワーク制御装置と通信する基地局送受信手段と、
前記無線通信装置と通信し、前記無線通信装置から第１の通信チャネルと、第２の通信チャネルとを受信する基地局無線送受信手段と、
前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段、とを備え、
前記無線ネットワーク制御装置は、
前記無線基地局と通信する制御装置送受信手段と、
前記第２の通信チャネルによる通信の開始要求を認識し、前記制御装置送受信手段を介して、前記無線基地局に対して前記電力制御オフセットを通知する制御装置制御手段と、を備え、
前記無線通信装置は、
前記無線基地局に対して前記第１の通信チャネルと、前記第２の通信チャネルと、を送信する、無線通信装置送受信手段と、
前記無線通信装置送受信手段を介して前記無線基地局との間で、前記インナーループ電力制御を行い、前記インナーループ電力制御の前記インナーループ電力制御目標値に前記電力制御オフセットが加算された後に、前記無線通信装置送受信手段を介して前記第2の通信チャネルの送信を開始する無線通信装置制御手段と、を備える、無線通信システム。
【請求項３４】
無線ネットワーク制御装置と、無線基地局と、無線通信装置と、を備える無線通信システムであって、
前記無線基地局は、
前記無線ネットワーク制御装置と通信する基地局送受信手段と、
前記無線通信装置と通信し、前記無線通信装置から第１の通信チャネルと、第２の通信チャネルとを受信する基地局無線送受信手段と、
前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段、とを備え、
前記無線ネットワーク制御装置は、
前記無線基地局と通信する制御装置送受信手段と、
前記制御装置送受信手段を介して前記無線基地局との間で、前記第1の通信チャネルに関して前記無線通信装置と前記無線基地局との間で行われるインナーループ電力制御のインナーループ電力制御目標値を調整するアウターループ電力制御を行い、前記第２の通信チャネルによる通信の開始要求を認識した後に前記アウターループ電力制御を停止し、前記第2の通信チャネルによる通信の開始を認識した後に前記アウターループ電力制御を開始する制御装置制御手段とを備え、
前記無線通信装置は、
前記無線基地局に対して前記第１の通信チャネルと、前記第２の通信チャネルと、を送信する、無線通信装置送受信手段と、
前記無線通信手段送受信手段を介して前記無線基地局との間で、前記インナーループ電力制御を行い、前記インナーループ電力制御の前記インナーループ電力制御目標値に前記電力制御オフセットが加算された後に、前記無線通信装置送受信手段を介して前記第2の通信チャネルの送信を開始する無線通信装置制御手段と、を備える、無線通信システム。
【請求項３５】
無線ネットワーク制御装置と、無線基地局と、第１及び第2の無線通信装置と、を備える無線通信システムであって、
前記無線基地局は、
前記無線ネットワーク制御装置と通信する基地局送受信手段と、
前記第1の無線通信装置から第１の通信チャネルを受信し、前記第2の無線通信装置から第２の通信チャネルを受信する基地局無線送受信手段と、
前記第１の通信チャネルの受信品質を検出し、前記受信品質とインナーループ電力制御目標値に基づいて、前記第１の無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段、とを備え、
前記無線ネットワーク制御装置は、
前記無線基地局と通信する制御装置送受信手段を備え、
前記第１の無線通信装置は、
前記無線基地局に対して前記第１の通信チャネルを送信する、第１の無線通信装置送受信手段と、
前記第１の無線通信装置送受信手段を介して前記無線基地局との間で、前記インナーループ電力制御を行う第1の無線通信装置制御手段と、を備え
前記第２の無線通信装置は、
前記無線基地局に対して前記第２の通信チャネルを送信する、第２の無線通信装置送受信手段と、
前記インナーループ電力制御の前記インナーループ電力制御目標値に前記電力制御オフセットが加算された後に、前記無線送受信手段を介して前記第2の通信チャネルの送信を開始する第２の無線通信装置制御手段と、を備える、無線通信システム。
【請求項３６】
無線ネットワーク制御装置と、無線通信装置と、無線基地局を含む無線通信システムの制御方法であって
前記無線ネットワーク制御装置と通信し、
前記無線通信装置から第１の通信チャネルを受信し、
前記第１の通信チャネルの受信品質を検出し、前記受信品質とインナーループ電力制御目標値に基づいて、前記無線通信装置からの前記第１の通信チャネルの送信電力を制御するインナーループ電力制御を行い、
第2の通信チャネルによる通信を開始する前に前記インナーループ電力制御目標値に電力制御オフセットを加算する、制御方法。
【請求項３７】
無線基地局と、前記無線基地局に対し第１及び第2の通信チャネルを送信することにより通信する無線通信装置と、無線ネットワーク制御装置と、を含む無線通信システムの制御方法であって、
前記無線基地局と通信し、
前記第２の通信チャネルによる通信の開始要求を認識し、前記電力制御オフセットを生成し、
前記無線基地局に対して電力制御オフセットを通知する制御方法であって、
前記電力制御オフセットが、前記第1の通信チャネルに関する前記無線基地局と前記無線通信装置との間のインナーループ電力制御のインナーループ電力制御目標値に加算される、制御方法。
【請求項３８】
無線基地局と、前記無線基地局に対し第１及び第2の通信チャネルを送信することにより通信する無線通信装置と、無線ネットワーク制御装置と、を含む無線通信システムの制御方法であって、
前記第1の通信チャネルに関して前記無線通信装置と前記無線基地局との間で行われるインナーループ電力制御のインナーループ電力制御目標値を調整するアウターループ電力制御を前記無線基地局との間で行い、
前記第２の通信チャネルによる通信の開始要求を認識した後に前記アウターループ電力制御を停止し、
前記第2の通信チャネルによる通信の開始を認識した後に前記アウターループ電力制御を開始する、制御方法。
【請求項３９】
無線ネットワーク制御装置と、無線基地局と、無全通信装置を含む無線通信システムの制御方法であって、
前記無線基地局に対して第１の通信チャネルと、第２の通信チャネルと、を送信し、
前記無線基地局との間で、前記第１の通信チャネルの前記無線基地局における受信品質とインナーループ電力制御目標値とに基づいて前記第１の通信チャネルの送信電力を制御するインナーループ電力制御を行い、
前記インナーループ電力制御の前記インナーループ電力制御目標値に電力制御オフセットが加算された後に、前記無線基地局に対して前記第2の通信チャネルの送信を開始する、制御方法。
【請求項４０】
無線ネットワーク制御装置と、無線基地局と、第1及び第2の無線通信装置と、を含む無線通信システムの制御方法であって、
前記第1の無線通信装置から前記無線基地局に対して前記第1の通信チャネルを送信し、
前記第2の無線通信装置から前記無線基地局に対して第2の通信チャネルを送信し、
前記第１の無線通信装置と前記無線基地局との間で行われる、前記第1の通信チャネルに関するインナーループ電力制御の電力制御目標値に電力制御オフセットが加算された後に、前記第2の通信チャネルの送信を開始する、制御方法。
【請求項４１】
無線ネットワーク制御装置と、無線基地局と、無線通信装置と、を備える無線通信システムの制御方法であって、
前記無線通信装置から前記無線基地局に対して第１の通信チャネルを送信し、
前記第１の通信チャネルの受信品質を検出し、
前記無線通信装置と前記無線基地局との間で前記受信品質とインナーループ電力制御目標値とに基づいて、前記無線通信装置からの前記第１の通信チャネルの送信電力を制御するインナーループ電力制御を行い、
第２の通信チャネルによる通信の開始要求を認識し、前記インナーループ電力制御目標値に電力制御オフセットを加算し、
前記インナーループ電力制御の前記インナーループ電力制御目標値に前記電力制御オフセットが加算された後に、前記第2の通信チャネルの送信を開始する制御方法。
【請求項４２】
無線ネットワーク制御装置と、無線基地局と、無線通信装置と、を備える無線通信システムの制御方法であって、
前記無線通信装置から前記無線基地局に対して第１の通信チャネルを送信し、
前記第１の通信チャネルの受信品質を検出し、
前記無線通信装置と前記無線基地局との間で前記受信品質とインナーループ電力制御目標値とに基づいて、前記無線通信装置からの前記第１の通信チャネルの送信電力を制御するインナーループ電力制御を行い、
前記無線ネットワーク制御装置と前記無線基地局との間で、前記インナーループ電力制御目標値を調整するアウターループ電力制御を行い、
第２の通信チャネルによる通信の開始要求を認識した後に前記アウターループ電力制御を停止し、
前記インナーループ電力制御目標値に電力制御オフセットを加算し、
前記第2の通信チャネルによる通信の開始を認識した後に前記アウターループ電力制御を開始し、
前記インナーループ電力制御目標値に前記電力制御オフセットが加算された後に、前記第2の通信チャネルの送信を開始する制御方法。
【請求項４３】
無線ネットワーク制御装置と、無線基地局と、第１及び第2の無線通信装置と、を備える無線通信システムの制御方法であって、
前記第1の無線通信装置から前記無線基地局に対して第１の通信チャネルを送信し、
前記第2の無線通信装置から前記無線基地局に対して第２の通信チャネルを送信し、
前記第１の通信チャネルの受信品質を検出し、
前記受信品質とインナーループ電力制御目標値に基づいて、前記第１の無線通信装置からの前記第１の通信チャネルの送信電力を制御するインナーループ電力制御を行い、
前記第２の通信チャネルによる通信の開始要求を認識した後に、前記インナーループ電力制御目標値に電力制御オフセットを加算し、
前記インナーループ電力制御目標値に前記電力制御オフセットが加算された後に、前記無前記第2の通信チャネルの送信を開始する、制御方法。
【発明の詳細な説明】
【技術分野】
【０００１】
本願発明は、無線通信システムにおける通信チャネルの送信電力制御に関する。
【背景技術】
【０００２】
無線通信システムにおけるビデオクリップ、マルチメディア、ゲーム、ビデオストリーミング等のサービスに向けて、無線通信システムにおける上り通信の遅延減少、カバレッジエリア拡大及びスループットの向上が必要となる。このようなシステムに適した通信方式として、上り高速通信チャネルによる通信の導入が検討されている（例えば非特許文献１）。既存のデータ通信チャネルによる通信、サービスに影響を与えることなく、上記のような上り高速通信チャネルによるサービスを、実現する技術が望まれている。
【０００３】
無線通信システムにおける上り通信チャネルの電力制御として、アウターループ電力制御やインナーループ電力制御がある（例えば、非特許文献２、非特許文献３）。このようなアウターループ電力制御やインナーループ電力制御を行う既存のシステムを活用しつつ、既存のデータ通信チャネルによる通信、サービスに影響を与えることなく、上記のような上り高速通信チャネルによるサービスを、実現する技術が望まれている。
【０００４】
上り高速通信チャネルのような通信チャネルが後発的に開始された場合の伝搬路状況が変化によって、既に存在する他の先発の上り通信チャネルの受信品質が影響を受ける場合がある。例えば、図２０に示すように、後発の通信チャネルによる通信の開始とともに、干渉電力が増加し、先発の受信品質（例えばＳＩＲ）が急激に劣化する場合が考えられる。また、先発の上り通信チャネルの受信品質の劣化によって、先発の上り通信チャネルによる通信が切断されることもある。例えば、図２０に示すように、先発の通信チャンネルの受信品質が劣化した後、電力制御によってそれが回復はすることもあり得るが、受信品質が通信に必要な受信品質を下回ったときに、先発の通信チャネルによる通信が切断されてしまう場合も考えられる。
【０００５】
無線通信システムにおける下り通信に関する技術として、下り高速通信チャネルを送信する際に、上りデータチャネルの目標受信SIR（Signal to Interference Ratio)を所定のオフセットだけ大きくするセルラシステムがある（特許文献１）。また、無線通信システムに関する技術として、必要な場合にだけ、移動局から品質情報を基地局へ送信する移動通信システムがある（特許文献２）。さらに、新たに呼を受け付けたとき、所定の通信品質を満たせない移動局が存在することが予測された場合に、新たな呼の受け付けを拒否する呼び受付制御方法がある（特許文献３）。
【０００６】
【非特許文献１】３ＧＰＰ  ＴＲ  ２５．８９６  Ｖ６．０．０
【非特許文献２】３ＧＰＰ  ＴＳ  ２５．２１４  Ｖ３．１２．０
【非特許文献３】「ＷＣＤＭＡ  ｆｏｒ  ＵＭＴＳ（Ｓｅｃｏｎｄ  ｅｄｉｔｉｏｎ）」、ＷＩＬＥＹ  、２００２年、Ｐ２２１
【特許文献１】特開２００２−３２５０６３
【特許文献２】特開２００３−１９９１７３
【特許文献３】特開平８−１９１４１８
【発明の開示】
【発明が解決しようとする課題】
【０００７】
上り高速通信チャネルのような通信チャネルが後発的に開始された場合の伝搬路状況の変化によって、既に存在する他の先発の上り通信チャネルの受信品質が影響を受ける場合があるという課題がある。
【０００８】
また、先発の上り通信チャネルの受信品質の劣化によって、先発の上り通信チャネルによる通信（例えば、通信品質）が影響を受けるという課題がある。
【０００９】
さらに、先発の上り通信チャネルの受信品質の劣化によって、先発の上り通信チャネルによる通信が切断されることもあるという課題がある。
【００１０】
また、上り高速通信チャネルのような通信チャネルが後発的に開始された場合の伝搬路状況の変化が、先発の上り通信チャネルによる通信に与える影響を減少させようとする場合、先発の上り通信チャネルの送信電力を過剰に増加させてしまうことや、先発の上り通信チャネルの受信品質を過剰に向上させてしまうことがあるという課題がある。
【００１１】
さらに、先発の上り通信チャネルに関するアウターループ電力制御が行われている状況においても、上り高速通信チャネルのような通信チャネルが後発的に開始された場合の伝搬路状況の変化が先発の上り通信チャネルによる通信に与える影響を減少させる必要があるという課題がある。
【００１２】
また、先発の上り通信チャネルに関するアウターループ電力制御が行われている状況においても、上り高速通信チャネルのような通信チャネルが後発的に開始された場合の伝搬路状況の変化が先発の上り通信チャネルによる通信に与える影響を減少させようとした場合、先発の上り通信チャネルの送信電力を過剰に増加させてしまうことや、先発の上り通信チャネルの受信品質を過剰に向上させてしまうことがあるという課題がある。
【課題を解決するための手段】
【００１３】
本願発明の無線基地局は、無線ネットワーク制御装置と、無線通信装置と、を含む無線通信システムにおける無線基地局であって、前記無線ネットワーク制御装置と通信する送受信手段と、前記無線通信装置と通信し、前記無線通信装置から第１の通信チャネルと、第２の通信チャネルとを受信する無線送受信手段と、前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記無線送受信手段が前記第2の通信チャネルによる通信を開始する前に前記インナーループ電力制御目標値に電力制御オフセットを加算する制御手段と、を備える。
【００１４】
また、好ましくは、前記送受信手段が、前記無線ネットワーク制御装置から前記電力制御オフセットを受信する。
【００１５】
また、好ましくは、前記制御手段が、前記電力制御オフセットを生成する。
【００１６】
さらに、好ましくは、前記電力制御オフセットが、前記無線基地局に接続している無線通信装置の数、前記第2の通信チャネルによる通信の開始に起因する干渉の増加、前記無線通信装置の送信電力の増加、前記無線基地局に接続している前記無線通信装置以外の他の無線通信装置の送信電力増加に起因する干渉の増加、及び、前記第１の通信チャネルによる通信のQoSの少なくとも1つに基づいて生成される。
【００１７】
また、好ましくは、前記制御手段が、前記第２の通信チャネルによる通信の開始以降に、前記電力制御オフセットを加算した前記インナーループ電力制御目標値から前記電力制御オフセットを減算する。
【００１８】
また、好ましくは、前記無線送受信手段が、前記制御装置が前記インナーループ電力制御目標値に前記電力制御オフセットを加算した後、待機時間の経過後に、前記第２の通信チャネルによる通信を開始する。
【００１９】
さらに、好ましくは、前記無線送受信手段が、前記待機時間に関する情報を前記無線ネットワーク制御装置から受信する。
【００２０】
また、好ましくは、前記制御手段が、前記待機時間に関する情報を生成する。
【００２１】
また、好ましくは、前記待機時間に関する情報が、前記インナーループ電力制御の速度及び前記電力制御オフセットに基づいて生成される。
【００２２】
さらに、好ましくは、前記制御手段が、前記無線受信手段を介して前記無線ネットワーク制御装置との間で前記インナーループ電力制御目標値を調整するアウターループ電力制御を実行し、前記インナーループ電力制御目標値に前記電力制御オフセットを加算した後に、前記アウターループ電力制御を中断し、前記アウターループ電力制御を中断した後、前記第２の通信チャネルによる通信の開始以降に、前記アウターループ電力制御を開始する。
【００２３】
また、好ましくは、無線送受信手段が、前記無線通信装置に対して第２の通信チャネル制御情報を送信することによって、前記第２の通信チャネルによる通信を開始する。
【００２４】
また、好ましくは、前記無線送受信手段が、前記第２の通信チャネルによる通信の開始前に前記無線通信装置に対して第２の通信チャネル制御情報を送信し、前記無線送受信手段を介して前記無線通信装置に対して第２の通信チャネルによる通信開始許可通知を送信することにより前記第２の通信チャネルによる通信を開始する。
【００２５】
さらに、好ましくは、前記無線送受信手段が、前記第２の通信チャネル情報を前記無線ネットワーク制御装置から受信する。
【００２６】
また、好ましくは、前記第２の通信チャネル情報は、最大送信電力、送信タイミング、拡散コード、及びデータレートのうちの少なくとも１つを含む。
【００２７】
また、好ましくは、前記インナーループ電力制御目標値は、信号電力対干渉電力比、及び1ビットあたりの信号電力対干渉電力比のうちいずれか１つである。
【００２８】
さらに、好ましくは、前記第２の通信チャネルが前記第１の通信チャネルよりも大きいデータレートの通信チャネルであり、前記第２の通信チャネルの送信電力が前記第１の通信チャネルの送信電力よりも大きい。
【００２９】
本願発明の無線基地局は、無線ネットワーク制御装置と、第１の無線通信装置と、第２の無線通信装置と、を含む無線通信システムにおける無線基地局であって、前記無線ネットワーク制御装置と通信する送受信手段と、前記第１及び第2の無線通信装置と通信し、前記第１の無線通信装置から第１の通信チャネルを受信し、前記第２の無線通信装置から第２の通信チャネルを受信する無線送受信手段と、前記第１の通信チャネルの受信品質を検出し、前記受信品質とインナーループ電力制御目標値に基づいて前記第１の無線通信装置からの前記第１の通信チャネルの送信電力を制御するインナーループ電力制御を行い、前記無線送受信手段が前記第2の通信チャネルによる通信を開始する前に前記インナーループ電力制御目標値に電力制御オフセットを加算する制御手段と、を備える。
【００３０】
また、好ましくは、前記無線通信システムが前記無線基地局と異なる第２の無線基地局を備え、前記制御手段が、直接または前記無線ネットワーク制御装置を介して、前記第２の無線基地局に対して、前記第2の通信チャネルによる通信の開始に関する情報を送信する。
【００３１】
本願発明の無線ネットワーク制御装置は、無線基地局と、前記無線基地局に対し第１及び第2の通信チャネルを送信することにより通信する無線通信装置と、を含む無線通信システムにおける無線ネットワーク制御装置であって、前記無線基地局と通信し、前記無線基地局に対して電力制御オフセットを通知する送受信手段と、前記第２の通信チャネルによる通信の開始要求を認識し、前記電力制御オフセットを生成する制御手段と、を備え、前記電力制御オフセットが、前記第1の通信チャネルに関する前記無線基地局と前記無線通信装置との間のインナーループ電力制御のインナーループ電力制御目標値に加算される。
【００３２】
また、好ましくは、前記インナーループ電力制御は、前記無線通信装置の送信する前記第１の通信チャネルの前記無線基地局における受信品質とインナーループ電力制御目標値とに基づいて前記無線通信装置における前記第１の通信チャネルの送信電力を制御する。
【００３３】
また、好ましくは、前記無線受信手段が、前記無線基地局に対して待機時間に関する情報を通知し、前記待機時間は、前記インナーループ電力制御目標値に前記電力制御オフセットが加算されてから前記第２の通信チャネルによる通信の開始までの時間間隔となる。
【００３４】
さらに、好ましくは、前記制御手段が、前記インナーループ電力制御の速度及び前記電力制御オフセットに基づいて前記待機時間に関する情報を生成する。
【００３５】
また、前記電力制御オフセットが、前記無線基地局に接続している無線通信装置の数、前記第2の通信チャネルによる通信の開始に起因する干渉の増加、前記無線通信装置の送信電力の増加、前記無線基地局に接続している前記無線通信装置以外の他の無線通信装置の送信電力増加に起因する干渉の増加、及び、前記第１の通信チャネルによる通信のQoSの少なくとも1つに基づいて生成される。
【００３６】
本願発明の無線ネットワーク制御装置は、無線基地局と、前記無線基地局に対し第１及び第2の通信チャネルを送信することにより通信する無線通信装置と、を含む無線通信システムにおける無線ネットワーク制御装置であって、前記無線基地局と通信する送受信手段と、前記送受信手段を介して前記無線基地局との間で、前記第1の通信チャネルに関して前記無線通信装置と前記無線基地局との間で行われるインナーループ電力制御のインナーループ電力制御目標値を調整するアウターループ電力制御を行い、前記第２の通信チャネルによる通信の開始要求を認識した後に前記アウターループ電力制御を停止し、前記第2の通信チャネルによる通信の開始を認識した後に前記アウターループ電力制御を開始する制御手段と、を備える。
【００３７】
また、好ましくは、前記制御手段が、前記第2の通信チャネルによる通信の開始されたことの通知を受信することによって、前記第2の通信チャネルによる通信の開始を認識する。
【００３８】
また、好ましくは、前記第２の通信チャネルによる通信の開始以前に、前記インナーループ電力制御目標値に電力制御オフセットが加算される。
【００３９】
さらに、好ましくは、前記第２の通信チャネルによる通信は、前記インナーループ電力制御目標値に前記電力制御オフセットが加算されてから、待機時間の経過後に開始され、前記送受信手段は、前記待機時間に関する通知を前記無線基地局から受信し、前記制御手段は、前記アウターループ電力制御を中断した後、前記待機時間に関する情報に応じた時間の経過後に前記アウターループ制御を開始する。
【００４０】
また、好ましくは、前記制御手段が、前記第2の通信チャネルによる通信の開始要求を受信することによって前記第2の通信チャネルによる通信の開始要求を認識する。
【００４１】
また、好ましくは、前記無線通信システムが、前記無線基地局とことなる第2の無線基地局を含み、前記制御手段が、前記第２の無線基地局に対して、前記第2の通信チャネルによる通信の開始に関する情報を送信する。
【００４２】
本願発明の無線通信装置は、無線ネットワーク制御装置と無線基地局を含む無線通信システムの無線通信装置であって、前記無線基地局に対して第１の通信チャネルと、前記第１の通信チャネルと異なる第２の通信チャネルと、を送信し、前記無線基地局から前記第２の通信チャネル制御情報及び前記第２の通信チャネルによる通信の開始許可通知の少なくとも１つを受信し、前記制御情報または前記開始許可通知に基づいて前記第２の通信チャネルによる通信を開始する無線送受信手段と、前記無線送受信手段を介して前記無線基地局との間で、前記第１の通信チャネルの前記無線基地局における受信品質とインナーループ電力制御目標値とに基づいて前記第１の通信チャネルの送信電力を制御するインナーループ電力制御を行う、制御手段とを備え、前記制御情報及び前記開始許可通知の少なくとも１つが、前記インナーループ電力制御の前記インナーループ電力制御目標値に電力制御オフセットが加算された後に、前記無線基地局から前記無線通信装置に対して送信される。
【００４３】
本願発明の無線通信装置は、無線ネットワーク制御装置と無線基地局を含む無線通信システムの無線通信装置であって、前記無線基地局に対して第１の通信チャネルと、第２の通信チャネルと、を送信する、無線送受信手段と、前記無線送受信手段を介して前記無線基地局との間で、前記第１の通信チャネルの前記無線基地局における受信品質とインナーループ電力制御目標値とに基づいて前記第１の通信チャネルの送信電力を制御するインナーループ電力制御を行い、前記インナーループ電力制御の前記インナーループ電力制御目標値に電力制御オフセットが加算された後に、前記無線送受信手段を介して前記第2の通信チャネルの送信を開始する制御手段と、を備える。
【００４４】
本願発明の無線通信装置は、無線ネットワーク制御装置と、無線基地局と、複数の無線通信装置と、を含む無線通信システムの無線通信装置であって、前記無線基地局に対して第２の通信チャネルを送信する無線送受信手段と、前記複数の無線通信装置のうちの他の無線通信装置と前記無線基地局との間で行われる、第１の通信チャネルに関するインナーループ電力制御の電力制御目標値に電力制御オフセットが加算された後に、前記無線送受信手段を介して前記第２の通信チャネルの送信を開始する制御手段と、を備える。
【００４５】
本願発明の無線通信システムは、無線ネットワーク制御装置と、無線基地局と、無線通信装置と、を備える無線通信システムであって、前記無線基地局は、前記無線ネットワーク制御装置と通信する基地局送受信手段と、前記無線通信装置と通信し、前記無線通信装置から第１の通信チャネルと、第２の通信チャネルとを受信する基地局無線送受信手段と、前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段と、を備え、前記無線ネットワーク制御装置は、前記無線基地局と通信する制御装置送受信手段と、前記第２の通信チャネルによる通信の開始要求を認識し、前記制御装置送受信手段を介して、前記無線基地局に対して前記電力制御オフセットを通知する制御装置制御手段と、を備え、前記無線通信装置は、前記無線基地局に対して前記第１の通信チャネルと、前記第２の通信チャネルと、を送信する、無線通信装置送受信手段と、前記無線通信装置送受信手段を介して前記無線基地局との間で、前記インナーループ電力制御を行い、前記インナーループ電力制御の前記インナーループ電力制御目標値に前記電力制御オフセットが加算された後に、前記無線通信装置送受信手段を介して前記第2の通信チャネルの送信を開始する無線通信装置制御手段と、を備える。
【００４６】
本願発明の無線通信システムは、無線ネットワーク制御装置と、無線基地局と、無線通信装置と、を備える無線通信システムであって、前記無線基地局は、前記無線ネットワーク制御装置と通信する基地局送受信手段と、前記無線通信装置と通信し、前記無線通信装置から第１の通信チャネルと、第２の通信チャネルとを受信する基地局無線送受信手段と、前記第１の通信チャネルの受信品質を検出し、前記受信品質とインナーループ電力制御目標値に基づいて、前記無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段と、を備え、前記無線ネットワーク制御装置は、前記無線基地局と通信する制御装置送受信手段と、前記制御装置送受信手段を介して前記無線基地局との間で、前記第1の通信チャネルに関して前記無線通信装置と前記無線基地局との間で行われるインナーループ電力制御のインナーループ電力制御目標値を調整するアウターループ電力制御を行い、前記第２の通信チャネルによる通信の開始要求を認識した後に前記アウターループ電力制御を停止し、前記第2の通信チャネルによる通信の開始を認識した後に前記アウターループ電力制御を開始する制御装置制御手段と、を備え、前記無線通信装置は、前記無線基地局に対して前記第１の通信チャネルと、前記第２の通信チャネルと、を送信する、無線通信装置送受信手段と、前記無線通信手段送受信手段を介して前記無線基地局との間で、前記インナーループ電力制御を行い、前記インナーループ電力制御の前記インナーループ電力制御目標値に前記電力制御オフセットが加算された後に、前記無線通信装置送受信手段を介して前記第2の通信チャネルの送信を開始する無線通信装置制御手段と、を備える。
【００４７】
本願発明の無線通信システムは、無線ネットワーク制御装置と、無線基地局と、第１及び第2の無線通信装置と、を備える無線通信システムであって、前記無線基地局は、前記無線ネットワーク制御装置と通信する基地局送受信手段と、前記第1の無線通信装置から第１の通信チャネルを受信し、前記第2の無線通信装置から第２の通信チャネルを受信する基地局無線送受信手段と、前記第１の通信チャネルの受信品質を検出し、前記受信品質とインナーループ電力制御目標値に基づいて、前記第１の無線通信装置からの前記第１の通信チャネルの送信電力を制御するインナーループ電力制御を行い、前記基地局無線送受信手段が前記第2の通信チャネルによる通信を開始する前に前記インナーループ電力制御目標値に電力制御オフセットを加算する基地局制御手段と、を備え、前記無線ネットワーク制御装置は、前記無線基地局と通信する制御装置送受信手段を備え、前記第１の無線通信装置は、前記無線基地局に対して前記第１の通信チャネルを送信する、第１の無線通信装置送受信手段と、前記第１の無線通信装置送受信手段を介して前記無線基地局との間で、前記インナーループ電力制御を行う第1の無線通信装置制御手段と、を備え前記第２の無線通信装置は、前記無線基地局に対して前記第２の通信チャネルを送信する、第２の無線通信装置送受信手段と、前記インナーループ電力制御の前記インナーループ電力制御目標値に前記電力制御オフセットが加算された後に、前記無線送受信手段を介して前記第2の通信チャネルの送信を開始する第２の無線通信装置制御手段と、を備える。
【００４８】
本願発明の制御方法は、無線ネットワーク制御装置と、無線通信装置と、無線基地局を含む無線通信システムの制御方法であって、前記無線ネットワーク制御装置と通信し、前記無線通信装置から第１の通信チャネルを受信し、前記第１の通信チャネルの受信品質を検出し、前記受信品質とインナーループ電力制御目標値に基づいて、前記無線通信装置からの前記第１の通信チャネルの送信電力を制御するインナーループ電力制御を行い、第2の通信チャネルによる通信を開始する前に前記インナーループ電力制御目標値に電力制御オフセットを加算する。
【００４９】
本願発明の制御方法は、無線基地局と、前記無線基地局に対し第１及び第2の通信チャネルを送信することにより通信する無線通信装置と、無線ネットワーク制御装置と、を含む無線通信システムの制御方法であって、前記無線基地局と通信し、前記第２の通信チャネルによる通信の開始要求を認識し、前記電力制御オフセットを生成し、前記無線基地局に対して電力制御オフセットを通知する制御方法であって、前記電力制御オフセットが、前記第1の通信チャネルに関する前記無線基地局と前記無線通信装置との間のインナーループ電力制御のインナーループ電力制御目標値に加算される。
【００５０】
本願発明の制御方法は、無線基地局と、前記無線基地局に対し第１及び第2の通信チャネルを送信することにより通信する無線通信装置と、無線ネットワーク制御装置と、を含む無線通信システムの制御方法であって、前記第1の通信チャネルに関して前記無線通信装置と前記無線基地局との間で行われるインナーループ電力制御のインナーループ電力制御目標値を調整するアウターループ電力制御を前記無線基地局との間で行い、前記第２の通信チャネルによる通信の開始要求を認識した後に前記アウターループ電力制御を停止し、前記第2の通信チャネルによる通信の開始を認識した後に前記アウターループ電力制御を開始する。
【００５１】
本願発明の制御方法は、無線ネットワーク制御装置と、無線基地局と、無全通信装置を含む無線通信システムの制御方法であって、前記無線基地局に対して第１の通信チャネルと、第２の通信チャネルと、を送信し、前記無線基地局との間で、前記第１の通信チャネルの前記無線基地局における受信品質とインナーループ電力制御目標値とに基づいて前記第１の通信チャネルの送信電力を制御するインナーループ電力制御を行い、前記インナーループ電力制御の前記インナーループ電力制御目標値に電力制御オフセットが加算された後に、前記無線基地局に対して前記第2の通信チャネルの送信を開始する。
【００５２】
本願発明の制御方法は、無線ネットワーク制御装置と、無線基地局と、第1及び第2の無線通信装置と、を含む無線通信システムの制御方法であって、前記第1の無線通信装置から前記無線基地局に対して前記第1の通信チャネルを送信し、前記第2の無線通信装置から前記無線基地局に対して第2の通信チャネルを送信し、前記第2の無線通信装置と前記無線基地局との間で行われる、前記第1の通信チャネルに関するインナーループ電力制御の電力制御目標値に電力制御オフセットが加算された後に、前記第2の通信チャネルの送信を開始する。
【００５３】
本願発明の制御方法は、無線ネットワーク制御装置と、無線基地局と、無線通信装置と、を備える無線通信システムの制御方法であって、前記無線通信装置から前記無線基地局に対して第１の通信チャネルを送信し、前記第１の通信チャネルの受信品質を検出し、前記無線通信装置と前記無線基地局との間で前記受信品質とインナーループ電力制御目標値とに基づいて、前記無線通信装置からの前記第１の通信チャネルの送信電力を制御するインナーループ電力制御を行い、第２の通信チャネルによる通信の開始要求を認識し、電力制御オフセットを生成し、前記インナーループ電力制御目標値に前記電力制御オフセットを加算し、前記インナーループ電力制御の前記インナーループ電力制御目標値に前記電力制御オフセットが加算された後に、前記第2の通信チャネルの送信を開始する。
【００５４】
本願発明の制御方法は、無線ネットワーク制御装置と、無線基地局と、無線通信装置と、を備える無線通信システムの制御方法であって、前記無線通信装置から前記無線基地局に対して第１の通信チャネルを送信し、前記第１の通信チャネルの受信品質を検出し、前記無線通信装置と前記無線基地局との間で前記受信品質とインナーループ電力制御目標値とに基づいて、前記無線通信装置からの前記第１の通信チャネルの送信電力を制御するインナーループ電力制御を行い、前記無線ネットワーク制御装置と前記無線基地局との間で、前記インナーループ電力制御目標値を調整するアウターループ電力制御を行い、第２の通信チャネルによる通信の開始要求を認識した後に前記アウターループ電力制御を停止し、前記インナーループ電力制御目標値に電力制御オフセットを加算し、前記第2の通信チャネルによる通信の開始を認識した後に前記アウターループ電力制御を開始し、前記インナーループ電力制御目標値に前記電力制御オフセットが加算された後に、前記第2の通信チャネルの送信を開始する。
【００５５】
本願発明の制御方法は、無線ネットワーク制御装置と、無線基地局と、第１及び第2の無線通信装置と、を備える無線通信システムの制御方法であって、前記第1の無線通信装置から前記無線基地局に対して第１の通信チャネルを送信し、前記第2の無線通信装置から前記無線基地局に対して第２の通信チャネルを送信し、前記第１の通信チャネルの受信品質を検出し、前記受信品質とインナーループ電力制御目標値に基づいて、前記第１の無線通信装置からの前記第１の通信チャネルの送信電力を制御するインナーループ電力制御を行い、前記第２の通信チャネルによる通信の開始要求を認識した後に電力制御オフセットを生成し、前記インナーループ電力制御目標値に電力制御オフセットを加算し、前記インナーループ電力制御目標値に前記電力制御オフセットが加算された後に、前記無前記第2の通信チャネルの送信を開始する。
【発明の効果】
【００５６】
本願発明によれば、後発の通信チャネルによる通信に起因する先発の通信チャネルの受信品質の劣化が、先発の通信チャネルによる通信に与える影響を軽減することができる。
【００５７】
本願発明によれば、後発の通信チャネルによる通信に起因する先発の通信チャネルの受信品質の劣化が、先発の通信チャネルによる通信に与える影響を軽減するとともに、先発の通信チャネルの送信電力を過剰に増加することを防ぐことができる。
【００５８】
本願発明によれば、後発の通信チャネルによる通信に起因する先発の通信チャネルの受信品質の劣化が、先発の通信チャネルによる通信に与える影響を軽減するとともに、先発の通信チャネルの受信品質が過剰に向上することを防ぐことができる。
【００５９】
本願発明によれば、先発の通信チャネルに関するアウターループ電力制御が行われている状況において、後発の通信チャネルによる通信に起因する先発の通信チャネルの受信品質の劣化が、先発の通信チャネルによる通信に与える影響を軽減することができる。
【００６０】
本願発明によれば、先発の通信チャネルに関するアウターループ電力制御が行われている状況において、後発の通信チャネルによる通信に起因する先発の通信チャネルの受信品質の劣化が、先発の通信チャネルによる通信に与える影響を軽減するとともに、先発の通信チャネルの送信電力が過剰に増加することを防ぐことができる。
【００６１】
本願発明によれば、先発の通信チャネルに関するアウターループ電力制御が行われている状況において、後発の通信チャネルによる通信に起因する先発の通信チャネルの受信品質の劣化が、先発の通信チャネルによる通信に与える影響を軽減するとともに、先発の通信チャネルの受信品質が過剰に向上することを防ぐことができる。
【発明を実施するための最良の形態】
【００６２】
本発明を実施するための最良の形態について図面を参照して説明する。しかしながら、かかる形態は本発明の技術的範囲を限定するものではない。また、図面には、かかる形態の説明に必要な構成要素のみを記載している。
【実施例１】
【００６３】
実施例１について、図１乃至図７を参照して説明する。図１は、本願発明の第１の実施例の無線通信システムの構成を示す。ただし、図1には、本願発明の説明に必要な構成のみが示されている。実施例１の無線通信システムは、コアネットワーク１０と、無線ネットワーク制御装置１１と、無線基地局１２及び１３と、無線通信装置１４及び１５とから構成される。
【００６４】
図２は、無線ネットワーク制御装置１１の構成を示している。無線ネットワーク制御装置１０は、送受信機２０と、制御回路２１と、送受信機２２とから構成される。
【００６５】
送受信装置２０は、制御回路２１から受信した信号/情報を無線基地局１２及び１３の少なくとも１つに送信する。また、送受信装置２０は、無線基地局１２及び１３の少なくとも１つから受信した信号/情報を制御回路２１に送る。
【００６６】
制御回路２１は送受信機２０を介して無線基地局１２及び１３の少なくとも１つから信号/情報を受信する。また、制御回路２１は、無線基地局１２及び１３から受信した信号/情報の一部又は全部を、送受信機２２を介してコアネットワーク１０に対して送信する。さらに、制御回路２１は、送受信機２２を介してコアネットワーク１０から信号/情報を受信する。また、制御回路２１は、コアネットワーク１０から受信した信号/情報の一部又は全部を、送受信機２０を介して無線基地局１２及び１３の少なくとも１つに対して送信する。さらに制御回路２１は、無線基地局１２または１３と無線通信装置１４または１５との間の通信に必要な信号/情報を、無線基地局１２及び１３の少なくとも１つに対して送信する。
【００６７】
送受信機２２は、制御回路２１から受信した信号/情報をコアネットワーク１０に対して送信する。またに送受信機２２は、コアネットワーク１０から受信した信号/情報を制御回路２２に対して送る。
【００６８】
図３は、無線基地局１２及び１３の構成を示している。無線基地局１２及び１３は、無線送受信機３０と、制御回路３１と、送受信機３２とから構成されている。無線基地局１２及び１３は同じ構成を採用しているため、ここでは無線基地局１３の構成についてのみ説明する。
【００６９】
送受信機３２は、無線ネットワーク制御装置１１から信号/情報を受信し、制御回路３１に対して送る。また、送受信機３２は、制御回路３１から受信した信号/情報を無線ネットワーク制御装置１１に対して送信する。
【００７０】
制御回路３１は、送受信機３２を介して無線ネットワーク制御装置１１から信号/情報を受信する。また、制御回路３１は、無線送受信機３０を介して無線ネットワーク制御装置１１から受信した信号/情報の一部または全部を無線通信装置１４及び１５の少なくとも1つに対して送信する。さらに、制御回路３１は、無線送受信機３２を介して無線通信装置１４及び１５の少なくとも１つから信号/情報を受信する。また、制御回路３１は、送受信機３２を介して無線通信装置１４または１５から受信した信号/情報を無線通信ネットワーク制御装置１１に対して送信する。
【００７１】
制御回路３１が無線通信装置１４または１５から受信する信号/情報には、先発の通信チャネルと、先発の通信チャネルよりも後に送受信が開始される後発の通信チャネルの少なくとも１つを含む。
【００７２】
以下では、先発の通信チャネルの例を上り低速通信チャネル、後発の通信チャネルの例を上り高速通信チャネルとして説明する。しかしながら、本願発明は、先発の通信チャネル及び後発の通信チャネルのデータレート、変調方法、拡散コード、種類等によって限定されるものはない。
【００７３】
さらに、制御回路３１が無線通信装置１４または１５から受信する信号/情報には、上り低速通信チャネル及び上り高速通信チャネルの少なくとも１つを制御するための情報が含まれている。また、制御回路３１が無線通信装置１４または１５に対して送信する信号/情報には、上り低速通信チャネル及び上り高速通信チャネルの少なくとも１つを制御するための情報が含まれている。制御回路３１は、上り低速通信チャネルの受信品質を検出し、無線送受信機３０を介して無線通信装置１４及び１５の少なくとも１つとの間で、上り低速通信チャネルに関するインナーループ電力制御を行う。このインナーループ電力制御は、無線基地局１３における上り低速通信チャネルの受信品質とインナーループ電力制御目標値とに基づいて、無線通信装置１４及び１５の少なくとも１つの上り低速通信チャネル送信電力を制御するものである。さらに、制御回路３１は、無線基地局１３と無線通信装置１４及び１５の少なくとも１つとの間の上り高速通信チャネルによる通信を制御する。
【００７４】
好ましくは、インナーループ電力制御は、以下に説明するような制御とすることができる。無線基地局１３は、所定の間隔毎に、無線通信装置１５から受信した上り低速通信チャネルの受信品質を検出し、検出した受信品質とインナーループ電力制御目標値とを比較する。無線基地局１３は、受信品質がインナーループ電力制御目標値を下回る場合には、送信電力増加を指示するインナーループ電力制御信号を生成し、受信品質がインナーループ電力制御目標値を上回る場合には、送信電力減少を指示するインナーループ電力制御信号を生成する。無線基地局１３は、所定の間隔毎に、生成したインナーループ電力制御信号を無線通信装置１３に対して送信する。無線通信装置１５は、無線基地局１３からインナーループ電力制御信号を受信する。無線通信装置１５は、受信したインナーループ電力制御信号が送信電力増加を指示するものである場合には、上り低速通信チャネルの送信電力を所定の値だけ増加させ、受信したインナーループ電力制御信号が送信電力減少を指示するものである場合には、上り低速通信チャネルの送信電力を所定の値だけ減少させる。このような制御が繰り返されることにより、無線通信装置１５の送信する上り低速通信チャネルの無線基地局１３における受信品質が、インナーループ電力制御目標値付近の値となるように送信電力が調整される。また、無線基地局１３と無線通信装置１４との間でも、無線基地局１３と無線通信装置１５との間の制御と同様の制御を行うことができる。
【００７５】
また、好ましくは、上り低速通信チャネルの受信品質及びインナーループ電力制御目標値は、信号対干渉波電力（Signal to Interference Ratio)、または１ビットあたりの信号対干渉波電力（Eb/No）等で表すことが可能である。
【００７６】
図４は、無線通信装置１４及び１５の構成を示している。無線通信装置１４及び１５は、無線送受信機４０と、制御回路４１とから構成されている。無線通信装置１４及び１５は同じ構成を採用しているため、ここでは無線通信装置１５の構成についてのみ説明する。
【００７７】
無線送受信機４０は、無線基地局１３から信号/情報を受信し、受信した信号/情報を制御回路４１に対して送る。また、無線送受信機４０は、制御回路４１からの信号/情報を受信し、受信した信号を無線基地局１３に対して送信する。
【００７８】
制御回路４１は、無線送受信機４０を介して無線基地局１３から信号/情報を受信する。また、制御回路４１は、無線送受信機４０を介して無線基地局１３に対して信号/情報を送信する。
【００７９】
制御回路４１が無線基地局１３に対して送信する信号/情報には、上り低速通信チャネル及び上り高速通信チャネルの少なくとも１つが含まれている。さらに、制御回路４１が無線基地局１３に対して送信する信号/情報には、上り低速通信チャネル及び上り高速通信チャネルの少なくとも1つを制御するための情報が含まれている。また、制御回路４１が無線基地局１３から受信する信号/情報には、上り低速通信チャネル及び上り高速通信チャネルの少なくとも１つを制御するための情報が含まれている。制御回路４１は、無線送受信機４０を介して無線基地局１３との間で、上り低速通信チャネルに関するインナーループ電力制御を行う。さらに制御回路４１は、無線基地局１３と無線通信装置１５との間の上り高速通信チャネルによる通信を制御する。
【００８０】
図５は、実施例１の無線通信ネットワークの動作を示している。初期の状態から、他の動作に関係なく、無線基地局１３と無線通信装置１４及び１５との間で、上り低速通信チャネルに関するインナーループ電力制御が継続して行われている。この状況において、無線通信装置１５が無線基地局１３に対して、上り高速通信チャネルによる通信を制御するための情報として、上り高速通信チャネルによる通信の開始要求を通知する。具体的には、無線通信装置１５の制御回路４１が、無線送受信回路４０を介して無線基地局１３に対して開始要求を送信する。開始要求は、無線基地局１３を通過して無線ネットワーク制御装置１１に直接到達する。具体的には、無線ネットワーク制御装置１１の制御回路２１が、送受信機２０を介して開始要求を受信する（Ｓ１０）。ここで、ステップＳ１０は、無線通信装置１５が、上り高速通信チャネルによる通信の開始要求を、無線基地局１３対して送信する構成を採用することも可能である。この場合、無線基地局１３が、開始要求を受信し、さらに、開始要求を無線ネットワーク制御装置１１に対して送信する。具体的には、無線基地局１３の制御装置３１が、無線送受信機３０を介して開始通知を受信し、さらに、開始通知を、送受信機３２を介して無線ネットワーク制御装置に対して送信する。無線ネットワーク制御装置１１の制御回路２１は、送受信機２０を介して開始要求を受信する。
【００８１】
ここでは、無線ネットワーク制御装置１１が、開始要求を無線基地局１３、または無線通信装置１５から受信する構成（ステップ１０）を説明した。しかし、好ましくは、ステップ１０を省略する構成を採用することもできる。この場合、無線ネットワーク制御装置１１は、開始要求に関する情報をコアネットワーク１０から取得すること、ネットワーク制御装置１１が自ら上り高速通信チャネルによる通信の開始を要求すること等により、上り高速通信チャネルによる通信の開始要求を認識する構成等を採用することも可能である。
【００８２】
ステップＳ１０の後、無線通信ネットワーク制御装置１１は、上り低速通信チャネルによる通信を制御するための情報として、電力制御オフセット及び待機時間情報を生成し、無線基地局１３に対して通知する。また、無線通信ネットワーク制御装置１１は、上り高速通信チャネルによる通信を制御するための情報として、上り高速通信チャネル制御情報を生成し、無線基地局１３に対して通知する。具体的には、無線通信ネットワーク１１の制御回路２１が、送受信機２０を介して電力制御オフセットと、待機時間情報と、上り高速通信チャネル制御情報とを無線基地局１３に対して送信する。無線基地局１３の制御回路３１は、送受信機３２を介して電力制御オフセットと、待機時間情報と、上り高速通信チャネル制御情報とを受信する（Ｓ１１）。無線基地局１３の制御回路３１は、上り低速通信チャネルに関するインナーループ電力制御のインナーループ電力制御目標値に電力制御オフセットを加算する（Ｓ１２）。
【００８３】
ここで、無線通信装置１４及び１５それぞれに関するインナーループ電力制御目標値に、同じ電力制御オフセットを加算することも、それぞれ異なる電力制御オフセットを加算することもできる。
【００８４】
ステップＳ１２以降のインナーループ電力制御は、電力制御オフセットが加算されたインナーループ電力制御目標値に基づいて、上り低速通信チャネルの送信電力を制御する。無線基地局１３の制御回路３１は、ステップＳ１２の後、待機時間だけ待機する（Ｓ１３）。ただし、待機中においても、無線基地局１３と無線通信装置１４及び１５との間のインナーループ電力制御は継続して行われている。待機時間の経過後、無線基地局１３は、無線通信装置１５との間の上り高速通信チャネルによる通信を開始する。具体的には、待機時間の経過後、無線基地局１３の制御回路３１が、無線送受信機３０を介して無線通信装置１５に対して、上り高速通信チャネルによる通信のための情報として、上り高速通信チャネル制御情報を送信する。無線通信装置１５の制御回路４１は、無線送受信機４０を介して、上り高速通信チャネル情制御報を受信する（Ｓ１４）。上り高速通信チャネル制御情報を受信した無縁通信装置１５の制御回路４１は、無線送受信機４０を介して、無線基地局１３に対して上り高速通信チャネルの送信を開始する（Ｓ１５）。
【００８５】
好ましくは、待機時間は、インナーループ電力制御目標値に電力制御オフセットが加算された後、インナーループ電力制御によって上り低速通信チャネルの受信品質が十分に向上するために必要な時間間隔とすることができる。このような待機時間が必要となるのは、インナーループ電力制御は、１回の制御あたりに所定の値だけ送信電力を増減するものであり、インナーループ電力制御目標値の変化と同時にインナーループ電力制御目標値の変化分だけ受信品質を変化させるができないためである。
【００８６】
図５においては、無線ネットワーク制御装置１１が、無線基地局１３に対して、電力制御オフセット、待機時間情報及び上り高速通信チャネル制御情報を送信する構成とした。しかし、電力制御オフセット、待機時間情報及び上り高速通信チャネル制御情報の少なくとも１つを、無線基地局１３が生成、若しくは予め保持している構成を採用することも可能である。
【００８７】
図５においては、無線基地局１３が、上り高速通信チャネル制御情報を無線通信装置１５に対して送信することにより、上り高速通信チャネルによる通信を開始する構成とした。しかし、図６に示すように、無線基地局１３が、上り高速チャネル制御情報とは別の上り高速チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ１４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ１００）。上り高速通信チャネル通信開始許可通知を受信した無線通信装置１５は、上り高速通信チャネルによる通信を開始する。具体的には、上り高速通信チャネルを受信した無線通信装置１５の制御回路４１が、無線送受信機４０を介して無線基地局１３に対して、上り高速通信チャネルの送信を開始する（Ｓ１５）。
【００８８】
図７は、図５及び図６の動作中の、各パラメターの変遷を示している。図７（Ａ）は、上り高速通信チャネルの送信電力の変遷を示している。初期状態においてゼロであった送信電力が、高速通信チャネル通信の開始（図５または図６のＳ１５に対応する）とともに立ち上がり、その後一定の値を保っている。図７（Ｂ）は、無線通信装置１４または１５の送信する上り低速通信チャネルに関するインナーループ電力制御のインナーループ電力制御目標値の変遷を示している。上り高速通信チャネルによる通信の開始時点から待機時間だけ前に、インナーループ電力制御目標値が電力制御オフセット分だけ増加している（図５または図６のＳ１２に対応する）。図７（Ｃ）は、無線通信装置１４または１５の送信する上り低速通信チャネルの、無線基地局１３における受信品質の変遷を示している。上り高速通信チャネルによる通信の開始時点から待機時間だけ前から、上り高速通信チャネルの開始時点にかけて、低速通信チャネルの受信品質が向上する。これは、上りインナーループ電力制御のインナーループ電力制御目標値に電力制御オフセットが加算されたことに（図５または図６のＳ１２）よるものである。上り低速通信チャネルの受信品質は、上り高速通信チャネルによる通信の開始に伴い劣化する。この受信品質の劣化は、上り高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後、インナーループ電力制御によって、低速通信チャネルの受信品質は再度向上する。図７（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、その後一定の値を保っている。これは、インナーループ電力制御のインナーループ電力制御目標値に電力制御オフセットが加算されたこと（図５または図６のＳ１２）によるものである。
【００８９】
図７に示されるように、実施例１の構成を採用することにより、上り高速通信チャネルによる通信に伴い、上り低速通信チャネルの受信品質が必要な受信品質を下回ることがなくなる。
【００９０】
実施例１において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。
【００９１】
さらに、実施例１において、無線ネットワーク制御装置１１が、上り高速通信チャネルによる通信の開始に関する情報を、無線基地局１２に対して通知する構成を採用することも可能である。この場合、無線基地局１２が、インナーループ電力制御の電力制御目標値に電力制御オフセットを加算する。このような構成を採用することにより、上り高速通信チャネルによる通信が隣接無線基地局の通信チャネルによる通信に与える影響を軽減することができる。
【００９２】
好ましくは、上り高速通信チャネルによる通信の開始に関する情報には、上り高速通信チャネルによる通信の開始要求若しく開始要求があったことの通知、及び電力制御オフセットの少なくとも１つを含めることができる。
【００９３】
また、好ましくは、インナーループ電力制御目標値に加算する電力制御オフセットが、無線基地局１２で生成される構成、及び無線基地局１２に予め保持されている構成を採用することも可能である。
【実施例２】
【００９４】
実施例２について、図１乃至４、及び図８乃至１０を参照して説明する。実施例２の無線通信システムは、無線基地局１３が、上り高速通信チャネルによる通信の開始後、電力制御オフセットを加算したインナーループ電力制御目標値から電力制御オフセットを減算する点で実施例１と異なる。実施例２の無線通信システムは、実施例１の無線通信システムと同様に、コアネットワーク１０と、無線ネットワーク制御装置１１と、無線基地局１２及び１３と、無線通信装置１４及び１５とから構成される（図１）。また、無線ネットワーク制御装置１１、無線基地局１２及び１３、無線通信装置１４及び１５は、実施例１と同様の構成を採用している（図２乃至図４）。
【００９５】
図８は、実施例２の無線通信システムの動作を示している。Ｓ１０乃至Ｓ１５は、実施例１（図５）と同様の動作である。上り高速通信チャネルによる通信を開始した無線通信装置１５は、無線基地局１３に対して、上り高速通信チャネルによる通信を開始したことを通知する（Ｓ２０）。上り高速通信チャネルに通信を開始したことの通知を受けた無線基地局１３は、電力制御オフセットを加算したインナーループ電力制御目標値から電力制御オフセットを減算するか、若しくは、新たなインナーループ電力制御目標値を設定する（Ｓ２３）。具体的には、無線通信装置１５の制御回路４１が、無線送受信機４０を介して、無線基地局１３に対して、上り高速通信チャネルによる通信を開始したこととの通知を送信する。無線基地局１３の制御回路３１は、無線送受信機３０を介して、上り高速通信チャネルによる通信を開始したことの通知を受信する。上り高速通信チャネルによる通信が開始されたことの通知を受信した無線基地局１３の制御回路３１は、電力制御オフセットを加算したインナーループ電力制御目標値から電力制御オフセットを減算するか、若しくは、新たなインナーループ電力制御目標値を設定する。この場合、新たなインナーループ電力制御目標値は、予め無線基地局１３に保持されている構成を採用することができる。
【００９６】
ここでは、無線通信装置１５が、無線基地局１３に対して上り高速通信チャネルによる通信を開始したことを通知する構成を説明した。しかし、無線通信装置１５からの、上り高速通信チャネルによる通信を開始したことの通知が、さらに無線基地局１３から、無線ネットワーク制御装置１１に対して送信される（Ｓ２１）構成を採用することも可能である。この場合、上り高速通信チャネルによる通信開始の通知を受けた無線ネットワーク制御装置１１は、無線基地局１３に対して、上り高速通信チャネルによる通信が開始されたことの通知、インナーループ電力制御目標値から電力制御オフセットを減算すべきことの通知、新たなインナーループ電力制御目標値の少なくとも１つを送信する（Ｓ２２）。Ｓ２２の通知を受けた無線基地局１３は、電力制御オフセットの加算されたインナーループ電力制御目標値から電力制御オフセットを減算するか、若しくは、新たな電力制御目標値を設定する（Ｓ２３）。
【００９７】
図８においては、さらに、Ｓ２０乃至Ｓ２２を省略する構成とすることも可能である。この場合、無線基地局１３は、上り高速通信チャネルによる通信の開始を認識すると、電力制御オフセットの加算されたインナーループ電力制御目標値から電力制御オフセットを減算するか、若しくは新たなインナーループ電力制御目標値を設定する（Ｓ２３）。好ましくは、無線基地局１３は、待機時間情報に基づき、上り高速通信チャネルによる通信の開始を認識することができる。この場合、新たなインナーループ電力制御目標値は、予め無線基地局１３に保持されている構成を採用することができる。
【００９８】
ここで、新たなインナーループ電力制御目標値は、無線通信装置１４及び１５について同じ値とすることも、それぞれ異なる値とすることも可能である。
【００９９】
図８においては、無線基地局１３が、上り高速通信チャネル制御情報を無線通信装置１５に対して送信することにより、上り高速通信チャネルによる通信を開始する構成とした。しかし、図９に示すように、無線基地局１３が、上り高速チャネル制御情報とは別の上り高速チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ１４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ１００）。上り高速通信チャネル通信開始許可通知を受信した無線通信装置１５は、上り高速通信チャネルによる通信を開始する。具体的には、上り高速通信チャネルを受信した無線通信装置１５の制御回路４１が、無線送受信機４０を介して無線基地局１３に対して、上り高速通信チャネルの送信を開始する（Ｓ１５）。
【０１００】
図１０は、図８及び図９の動作中の、各パラメターの変遷を示している。図１０（Ａ）は、上り高速通信チャネルの送信電力の変遷を示している。初期状態においてゼロであった送信電力が、上り高速通信チャネル通信の開始（図８または図９のＳ１５に対応する）とともに立ち上がり、その後一定の値を保っている。図１０（Ｂ）は、無線通信装置１４または１５の送信する上り低速通信チャネルに関するインナーループ電力制御のインナーループ電力制御目標値の変遷を示している。上り高速通信チャネルによる通信の開始時点から待機時間だけ前に、インナーループ電力制御目標値が電力制御オフセット分だけ増加している（図８または図９のＳ１２に対応する）。さらに、上り高速通信チャネルによる通信の開始後に、インナーループ電力制御目標値が電力制御オフセット分だけ減少し、初期状態のインナーループ電力制御目標値に戻っている（図８または図９のＳ２３に対応する）。図１０（Ｃ）は、無線通信装置１４または１５の送信する上り低速通信チャネルの、無線基地局１３における受信品質の変遷を示している。上り高速通信チャネルによる通信の開始時点から待機時間だけ前から、上り高速通信チャネルの開始時点にかけて、低速通信チャネルの受信品質が向上する。これは、インナーループ電力制御のインナーループ電力制御目標値に電力制御オフセットが加算されたことに（図８または図９のＳ１２）よるものである。上り低速通信チャネルの受信品質は、上り高速通信チャネルによる通信の開始に伴い劣化する。この受信品質の劣化は、上り高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後もインナーループ電力制御は継続しているが、インナーループ電力制御目標値が初期状態のインナーループ電力制御目標値に戻っているため（図８または図９のＳ２３に対応する）、低速通信チャネルの受信品質は初期状態のインナーループ電力制御目標値近辺に保たれる。図１０（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、その後一定の値を保っている。これは、インナーループ電力制御のインナーループ電力制御目標値に電力制御オフセットが加算されたこと（図８または図９のＳ１２）によるものである。
【０１０１】
図１０に示されるように、実施例２の構成を採用することにより、上り高速通信チャネルによる通信に伴い、上り低速通信チャネルの受信品質が必要な受信品質を下回ることがなくなる。
【０１０２】
実施例２において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。
【０１０３】
さらに、実施例２において、無線ネットワーク制御装置１１が、上り高速通信チャネルによる通信の開始に関する情報を、無線基地局１２に対して通知する構成を採用することも可能である。この場合、無線基地局１２が、図８または９のステップＳ１２、Ｓ１３、及びＳ２３を行う。このような構成を採用することにより、上り高速通信チャネルによる通信が隣接無線基地局の通信チャネルによる通信に与える影響を軽減することができる。
【０１０４】
好ましくは、上り高速通信チャネルによる通信の開始に関する情報には、上り高速通信チャネルによる通信の開始要求若しく開始要求があったことの通知、電力制御オフセット、インナーループ電力制御目標値から電力制御オフセットを減算すべきことの通知、上り高速通信チャネルによる通信が開始されたことの通知、及び新たな電力制御目標値の少なくとも１つを含めることができる。
【０１０５】
また、好ましくは、インナーループ電力制御目標値に加算する電力制御オフセット及び新たなインナーループ電力制御目標値の少なくとも1つが、無線基地局１２で生成される構成、及び無線基地局１２に予め保持されている構成を採用することも可能である。
【０１０６】
さらに、新たなインナーループ電力制御目標値は、異なる無線通信装置について同じ値とすることも、それぞれ異なる値とすることも可能である。  
【実施例３】
【０１０７】
実施例３について、図１乃至４、及び図１１乃至１３を参照して説明する。実施例３の無線通信システムは、無線ネットワーク制御装置１１と無線基地局１３との間でアウターループ電力制御が行われる点で実施例１と異なる。実施例３の無線通信システムは、実施例１の無線通信システムと同様に、コアネットワーク１０と、無線ネットワーク制御装置１１と、無線基地局１２及び１３と、無線通信装置１４及び１５とから構成される（図１）。また、無線ネットワーク制御装置１１、無線基地局１２及び１３、無線通信装置１４及び１５は、実施例１と同様の構成を採用している（図２乃至図４）。
【０１０８】
ただし、無線ネットワーク制御装置１１の制御装置２１は、上り低速通信チャネルの通信品質を検出し、送受信機２０を介して、無線基地局１３との間でアウターループ電力制御を行う。アウターループ電力制御は、上り低速通信チャネルの通信品質と、アウターループ電力制御目標値とに基づいて、インナーループ電力制御目標値を調整するものである。また、無線基地局１３の制御回路３１は、送受信機３２を介して無線ネットワーク制御装置１１との間でアウターループ電力制御を行う。
【０１０９】
好ましくは、アウターループ電力制御は、以下に説明するような制御とすることができる。無線ネットワーク制御装置１１は、無線通信装置１３から受信した信号/情報をから、無線通信装置１５の送信した上り低速通信チャネルの通信品質を所定の間隔で検出する。無線ネットワーク制御装置１１は、検出した通信品質とアウターループ電力制御目標値とを比較する。無線ネットワーク制御装置１１は、検出した通信品質がアウターループ電力制御目標値を上回る場合には、無線通信装置１５の送信する上り低速通信チャネルに関して、現在のインナーループ電力制御目標値よりも小さいインナーループ電力制御目標値を設定することを指示するアウターループ電力制御信号を、無線基地局１３に対して送信する。また、無線ネットワーク制御装置１１は、検出した通信品質がアウターループ電力制御目標値を下回る場合には、無線通信装置１５の送信する上り低速通信チャネルに関して、現在のインナーループ電力制御目標値よりも大きいインナーループ電力制御目標値を設定することを指示するアウターループ電力制御信号を、無線基地局１３に対して送信する。無線通信装置１３は、無線ネットワーク制御装置１１から受信したアウターループ電力制御信号に基づき、無線通信装置１５の送信した上り低速通信チャネルに関するインナーループ電力制御目標値を増減する。このような制御が繰り返されることにより、無線通信装置１５の送信する上り低速通信チャネルの通信品質がアウターループ電力制御目標値付近の値となるようにインナーループ電力制御目標値が調整される。また、無線通信装置１４に送信する上り低速通信チャネルについても、無線通信装置１５の送信する上り低速通信チャネルに関する制御と同様の制御を行うことができる。さらに、無線ネットワーク制御装置１１と無線基地局１２との間でも、無線ネットワーク制御装置１１と無線基地局１３との間の制御と同様の制御を行うことができる。
【０１１０】
また、好ましくは、上り低速通信チャネルの通信品質及びアウターループ電力制御目標値は、ビットエラーレート(Bit Error Rate)、フレームエラーレート(Frame Error Rate)、ブロックエラーレート（Block Error Rate)、CRC（Cyclic Redundancy Code)等で表すことが可能である。さらに、好ましくは、上り低速通信チャネルの受信品質及びインナーループ電力制御目標値は、信号対干渉波電力（Signal to Interference Ratio)、または１ビットあたりの信号対干渉波電力（Eb/No）等で表すことが可能である。
【０１１１】
図１１は、実施例３の無線通信ネットワークの動作を示している。初期の状態から、他の動作に関係なく、無線基地局１３と無線通信装置１４及び１５との間で、上り低速通信チャネルに関するインナーループ電力制御が継続して行われている。また、初期状態から、無線ネットワーク制御装置１１と無線基地局１３との間で、上り低速通信チャネルに関するアウターループ電力制御が行われている。Ｓ１０乃至Ｓ１５は、実施例１（図５）と同様の動作である。ただし、上り高速通信チャネルによる通信の開始要求に関する情報を受信した無線ネットワーク制御装置１１は、上り低速通信チャネルに関するアウターループ電力制御を停止する。具体的には、上り高速通信チャネルによる通信の開始要求に関する情報を受信した無線ネットワーク制御装置１１の制御回路２１は、上り低速通信チャネルに関するアウターループ電力制御を停止する（Ｓ３０）。
【０１１２】
上り高速通信チャネルによる通信を開始した無線通信装置１５は、無線基地局１３に対して、上り高速通信チャネルによる通信を開始したことを通知する（Ｓ３１）。上り高速通信チャネルによる通信を開始したことの通知を受けた無線基地局１３は、無線ネットワーク制御装置１１に対して、上り高速通信チャネルによる通信を開始したことの通知を送信する（Ｓ３２）。上り高速通信チャネルによる通信を開始したことの通知を受信した無線ネットワーク制御装置１１は、上り低速通信チャネルに関するアウターループ電力制御を開始する。具体的には、無線通信装置１５の制御回路４１が、無線送受信機４０を介して、無線基地局１３に対して、上り高速通信チャネルによる通信を開始したこととの通知を送信する。無線基地局１３の制御回路３１は、無線送受信機３０を介して、上り高速通信チャネルによる通信を開始したことの通知を受信する。さらに無線基地局１３の制御回路３１は、送受信機３１を介して無線ネットワーク制御装置１１に対して、上り高速通信チャネルによる通信を開始したことの通知を送信する。さらに、無線ネットワーク制御装置１１の制御回路２１は送受信機２０を介して、上り高速通信チャネルによる通信を開始したことの通知を受信し、上り低速通信チャネルに関するアウターループ電力制御を開始する。
【０１１３】
ここでは、無線通信装置１５が、無線基地局１３に対して上り高速通信チャネルによる通信を開始したことを通知する構成を説明した。しかし、無線通信装置１５からの、上り高速通信チャネルによる通信を開始したことの通知が、無線基地局１３を通過し、直接無線ネットワーク制御装置１１に対して送信される構成を採用することも可能である。この場合、無線通信装置１５から上り高速通信チャネルによる通信開始の通知を受けた無線ネットワーク制御装置１１は、上り低速通信チャネルに関するアウターループ電力制御を開始する（Ｓ３３）。
【０１１４】
図１１においては、さらに、Ｓ３１乃至Ｓ３２を省略する構成とすることも可能である。この場合、無線ネットワーク制御装置１１は、上り高速通信チャネルによる通信の開始を認識すると、上り低速通信チャネルに関するアウターループ電力制御を開始する（Ｓ３３）。ここでは、例えば、無線ネットワーク制御回路１１が、待機時間情報に基づいて、上り高速通信チャネルによる通信の開始を認識する構成を採用することができる。
【０１１５】
図１１においては、無線基地局１３が、上り高速通信チャネル制御情報を無線通信装置１５に対して送信することにより、上り高速通信チャネルによる通信を開始する構成とした。しかし、図１２に示すように、無線基地局１３が、上り高速通信チャネル制御情報とは別の上り高速通信チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ１４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ３００）。上り高速通信チャネル通信開始許可通知を受信した無線通信装置１５は、上り高速通信チャネルによる通信を開始する。具体的には、上り高速通信チャネル通信許可通知を受信した無線通信装置１５の制御回路４１が、無線送受信機４０を介して無線基地局１３に対して、上り高速通信チャネルの送信を開始する（Ｓ１５）。
【０１１６】
図１３は、図１１及び図１２の動作中の、各パラメターの変遷を示している。図１３（Ａ）は、上り高速通信チャネルの送信電力の変遷を示している。初期状態においてゼロであった送信電力が、上り高速通信チャネル通信の開始（図１１または図１２のＳ１５に対応する）とともに立ち上がり、その後一定の値を保っている。図１３（Ｂ）は、無線通信装置１４または１５の送信する上り低速通信チャネルに関するインナーループ電力制御の電力制御目標値の変遷を示している。上り高速通信チャネルによる通信の開始時点から待機時間だけ前に、インナーループ電力制御目標値が電力制御オフセット分だけ増加している。さらに、上り高速通信チャネルによる通信の開始後に、インナーループ電力制御目標値が電力制御オフセット分だけ減少し、初期状態のインナーループ電力制御目標値に戻っている。インナーループ電力制御目標値の増加は、電力制御オフセットの加算（図１１または図１２のＳ１２に対応する）とアウターループ電力制御の停止（図１１または図１２のＳ３０に対応する）に起因するものである。インナーループ電力制御目標値の減少は、アウターループ電力制御が開始されたこと（図１１または図１２のS３３）に起因するものである。図１３（Ｃ）は、無線通信装置１４または１５の送信する上り低速通信チャネルの、無線基地局１３における受信品質の変遷を示している。上り高速通信チャネルによる通信の開始時点の待機時間だけ前から、上り高速通信チャネルの開始時点にかけて、低速通信チャネルの受信品質が向上する。これは、上りインナーループ電力制御のインナーループ電力制御目標値に電力制御オフセットが加算されたことに（図１１または図１２のＳ１２）よるものである。上り低速通信チャネルの受信品質は、上り高速通信チャネルによる通信の開始に伴い劣化する。この受信品質の劣化は、上り高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後もインナーループ電力制御は継続しているが、停止されていたアウターループ電力制御が開始されることによってインナーループ電力制御目標値が初期状態のインナーループ電力制御目標値に戻るため（図１１または図１２のS３３に対応する）、低速通信チャネルの受信品質は、一端は過剰に向上するものの、最終的には初期状態のインナーループ電力制御目標値近辺に保たれる。図１３（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、一端は過剰に増加するものの、その後減少し一定の値を保っている。上り低速通信チャネルの送信電力の増加は、アウターループ電力制御が停止された状態でインナーループ電力制御のインナーループ電力制御目標値に電力制御オフセットが加算されたこと（図１１または図１２のＳ１２）によるものである。また、���り低速通信チャネルの送信電力の減少は、アウターループ電力制御が開始されたことによるものである。
【０１１７】
図１３に示されるように、実施例３の構成を採用することにより、上り高速通信チャネルによる通信に伴い、上り低速通信チャネルの受信品質が必要な受信品質を下回ることがなくなる。
【０１１８】
実施例３において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。
【０１１９】
また、実施例３においては、上り高速通信チャネルによる通信開始後に、電力制御オフセットを加算したインナーループ電力制御目標値から電量制御オフセットを減算しない構成を採用している。しかし、実施例３においても、実施例２のように、上り高速通信チャネルによる通信の開始後に、電力オフセットを加算したインナーループ電力制御目標値から電力制御オフセットを減算、または新たなインナーループ電力制御目標値を設定する構成を採用することが可能である。ここで、新たなインナーループ電力制御目標値は、無線通信装置１４及び１５それぞれについて、同じ値とすることも、異なる値とすることもできる。
【０１２０】
さらに、実施例３において、無線ネットワーク制御装置１１が、上り高速通信チャネルによる通信の開始に関する情報を、無線基地局１２に対して通知する構成を採用することも可能である。この場合、無線基地局１２が、図１１または１２のステップＳ１２、及びＳ１３を行う。また、無線ネットワーク制御装置１１は、無線基地局１２との間のアウターループ電力制御についても、図１１または１２のＳ３０及びＳ３３を行う。このような構成を採用することにより、上り高速通信チャネルによる通信が隣接無線基地局の通信チャネルによる通信に与える影響を軽減することができる。
【０１２１】
好ましくは、上り高速通信チャネルによる通信の開始に関する情報には、上り高速通信チャネルによる通信の開始要求若しく開始要求があったことの通知、電力制御オフセット、インナーループ電力制御目標値から電力制御オフセットを減算すべきことの通知、上り高速通信チャネルによる通信が開始されたことの通知、及び新たな電力制御目標値の少なくとも１つを含めることができる。
【０１２２】
また、好ましくは、インナーループ電力制御目標値に加算する電力制御オフセット及び新たなインナーループ電力制御目標値の少なくとも1つが、無線基地局１２で生成される構成、及び無線基地局１２に予め保持されている構成を採用することも可能である。
【実施例４】
【０１２３】
実施例４について、図１乃至図４、図７、図１４、及び図１５を参照して説明する。図１は、実施例４の無線通信システムの構成を示している。ただし、図1には、本願発明の説明に必要な構成のみが示されている。実施例４の無線通信システムは、実施例１の無線通信システムと同様に、コアネットワーク１０と、無線ネットワーク制御装置１１と、無線基地局１２及び１３と、無線通信装置１４及び１５とから構成される（図１）。また、無線ネットワーク制御装置１１、無線基地局１２及び１３、無線通信装置１４及び１５は、実施例１と同様の構成を採用している（図２乃至図４）。実施例４の無線通信システムは、上り高速通信チャネルによる通信の開始に関する動作に無線ネットワーク制御装置１１が関与しない点で、実施例１の無線通信システムと異なる。
【０１２４】
図１４は、実施例４の無線通信システムの動作を示している。初期の状態から、他の動作に関係なく、無線基地局１３と無線通信装置１４及び１５との間で、上り低速通信チャネルに関するインナーループ電力制御が継続して行われている。この状況において、無線通信装置１５が無線基地局１３に対して、上り高速通信チャネルによる通信の開始要求を通知する。具体的には、無線通信装置１５の制御回路４１が、無線送受信回路４０を介して無線基地局１３に対して開始要求を送信する。さらに、無線基地局１３の制御回路３１が、上記送信された開始要求を、無線送受信機３０を介して受信する（Ｓ４０）。開始要求を受信した無線基地局１３は、電力制御オフセット、待機時間情報、及び上り高速通信チャネル制御情報を生成する。具体的には、無線基地局１３の制御回路３１が、電力制御オフセットと、待機時間情報と、上り高速通信チャネル制御情報とを生成する（Ｓ４１）。無線基地局１３の制御回路３１は、上り低速通信チャネルに関するインナーループ電力制御のインナーループ電力制御目標値に電力制御オフセットを加算する（Ｓ４２）。
【０１２５】
ここで、無線通信装置１４及び１５それぞれに関するインナーループ電力制御目標値に、同じ電力制御オフセットを加算することも、それぞれ異なる電力制御オフセットを加算することもできる。
【０１２６】
Ｓ４２以降のインナーループ電力制御は、電力制御オフセットが加算されたインナーループ電力制御目標値に基づいて、上り低速通信チャネルの送信電力を制御する。無線基地局１３の制御回路３１は、Ｓ４２の後、待機時間だけ待機する（Ｓ４３）。ただし、待機中においても、無線基地局１３と無線通信装置１４及び１５との間のインナーループ電力制御は継続して行われている。待機時間の経過後、無線基地局１３は、無線通信装置１５との間の上り高速通信チャネルによる通信を開始する。具体的には、待機時間の経過後、無線基地局１３の制御回路３１が、無線送受信機３０を介して無線通信装置１５に対して、上り高速通信チャネルによる通信のための情報として、上り高速通信チャネル制御情報を送信する。無線通信装置１５の制御回路４１は、無線送受信機４０を介して、上り高速通信チャネル情制御報を受信する（Ｓ４４）。上り高速通信チャネル制御情報を受信した無縁通信装置１５の制御回路４１は、無線送受信機４０を介して、無線基地局１３に対して上り高速通信チャネルの送信を開始する（Ｓ４５）。
【０１２７】
図１４においては、無線基地局１３が、電力制御オフセット、待機時間情報及び上り高速通信チャネル制御情報を生成する構成とした。しかし、好ましくは、電力制御オフセット、待機時間情報及び上り高速通信チャネル制御情報の少なくとも１つを、無線基地局１３が予め保持している構成を採用することも可能である。
【０１２８】
図１４においては、無線基地局１３が、上り高速通信チャネル制御情報を無線通信装置１５に対して送信することにより、上り高速通信チャネルによる通信を開始する構成とした。しかし、図１５に示すように、無線基地局１３が、上り高速チャネル制御情報とは別の上り高速チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ４４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ４００）。上り高速通信チャネル通信開始許可通知を受信した無線通信装置１５は、上り高速通信チャネルによる通信を開始する。具体的には、上り高速通信チャネル通信許可通知を受信した無線通信装置１５の制御回路４１が、無線送受信機４０を介して無線基地局１３に対して、上り高速通信チャネルの送信を開始する（Ｓ４５）。
【０１２９】
図１４及び図１５の動作中の各パラメターは、実施例１と同様に、図７に示されるように変遷する。図７（Ａ）は、上り高速通信チャネルの送信電力の変遷を示している。初期状態においてゼロであった送信電力が、上り高速通信チャネル通信の開始（図１４または図１５のＳ４５に対応する）とともに立ち上がり、その後一定の値を保っている。図７（Ｂ）は、無線通信装置１４または１５の送信する上り低速通信チャネルに関するインナーループ電力制御のインナーループ電力制御目標値の変遷を示している。上り高速通信チャネルによる通信の開始時点から待機時間だけ前に、インナーループ電力制御目標値が電力制御オフセット分だけ増加している（図１４または図１５のＳ４２に対応する）。図７（Ｃ）は、無線通信装置１４または１５の送信する上り低速通信チャネルの、無線基地局１３における受信品質の変遷を示している。上り高速通信チャネルによる通信の開始時点から待機時間だけ前から、上り高速通信チャネルの開始時点にかけて、低速通信チャネルの受信品質が向上する。これは、上りインナーループ電力制御のインナーループ電力制御目標値に電力制御オフセットが加算されたことに（図１４または図１５のＳ４２）よるものである。上り低速通信チャネルの受信品質は、上り高速通信チャネルによる通信の開始に伴い劣化する。この受信品質の劣化は、上り高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後、インナーループ電力制御によって、低速通信チャネルの受信品質は再度向上する。図７（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、その後一定の値を保っている。これは、インナーループ電力制御のインナーループ電力制御目標値に電力制御オフセットが加算されたこと（図１４または図１５のＳ４２）によるものである。
【０１３０】
図７に示されるように、実施例４の構成を採用することにより、上り高速通信チャネルによる通信に伴い、上り低速通信チャネルの受信品質が必要な受信品質を下回ることがなくなる。
【０１３１】
実施例４において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。
【０１３２】
さらに、実施例４において、無線基地局１３が、直接または無線ネットワーク制御装置１１を介して、上り高速通信チャネルによる通信の開始に関する情報を、無線基地局１２に対して通知する構成を採用することも可能である。この場合、無線基地局１２が、インナーループ電力制御のインナーループ電力制御目標値に電力制御オフセットを加算する。このような構成を採用することにより、上り高速通信チャネルによる通信が隣接無線基地局の通信チャネルによる通信に与える影響を軽減することができる。
【０１３３】
好ましくは、上り高速通信チャネルによる通信の開始に関する情報には、上り高速通信チャネルによる通信の開始要求若しく開始要求があったことの通知、電力制御オフセット、の少なくとも１つを含めることができる。
【０１３４】
また、好ましくは、インナーループ電力制御目標値に加算する電力制御オフセットが、無線基地局１２で生成される構成、及び無線基地局１２に予め保持されている構成を採用することも可能である。
【実施例５】
【０１３５】
実施例５について、図１乃至図４、図１０、図１６、及び図１７を参照して説明する。図１は、実施例５の無線通信システムの構成を示している。ただし、図1には、本願発明の説明に必要な構成のみが示されている。実施例５の無線通信システムは、実施例４の無線通信システムと同様に、コアネットワーク１０と、無線ネットワーク制御装置１１と、無線基地局１２及び１３と、無線通信装置１４及び１５とから構成される（図１）。また、無線ネットワーク制御装置１１、無線基地局１２及び１３、無線通信装置１４及び１５は、実施例４と同様の構成を採用している（図２乃至図４）。実施例５の無線通信システムは、上り高速通信チャネルによる通信の開始に関する動作に無線ネットワーク制御装置１１が関与しない点で、実施例２の無線通信システムと異なり、無線基地局１３が、上り高速通信チャネルによる通信の開始後、電力制御オフセットを加算したインナーループ電力制御目標値から電力制御オフセットを減算する点で実施例４と異なる。
【０１３６】
図１６は、実施例５の無線通信システムの動作を示している。Ｓ４０乃至Ｓ４５は、実施例４（図１４）と同様の動作である。上り高速通信チャネルによる通信を開始した無線通信装置１５は、無線基地局１３に対して、上り高速通信チャネルによる通信を開始したことを通知する（Ｓ５０）。上り高速通信チャネルに通信を開始したことの通知を受けた無線基地局１３は、電力制御オフセットを加算したインナーループ電力制御目標値から電力制御オフセットを減算するか、若しくは、新たなインナーループ電力制御目標値を設定する（Ｓ５１）。具体的には、無線通信装置１５の制御回路４１が、無線送受信機４０を介して、無線基地局１３に対して、上り高速通信チャネルによる通信を開始したこととの通知を送信する。無線基地局１３の制御回路３１は、無線送受信機３０を介して、上り高速通信チャネルによる通信を開始したことの通知を受信する。上り高速通信チャネルによる通信が開始されたことの通知を受信した無線基地局１３の制御回路３１は、電力制御オフセットを加算したインナーループ電力制御目標値から電力制御オフセットを減算するか、若しくは、新たなインナーループ電力制御目標値を設定する。
【０１３７】
ここでは、無線通信装置１５が、無線基地局１３に対して上り高速通信チャネルによる通信を開始したことを通知する構成を説明した。しかし、Ｓ５０を省略する構成とすることも可能である。この場合、無線基地局１３は、上り高速通信チャネルによる通信の開始を認識すると、電力制御オフセットの加算されたインナーループ電力制御目標値から電力制御オフセットを減算するか、若しくは、新たなインナーループ電力制御目標値を設定する（Ｓ５１）。好ましくは、無線基地局１３は、待機時間情報に基づき、上り高速通信チャネルによる通信の開始を認識することができる。
【０１３８】
ここで、新たなインナーループ電力制御目標値は、無線通信装置１４及び１５について同じ値とすることも、それぞれ異なる値とすることも可能である。
【０１３９】
図１６においては、無線基地局１３が、上り高速通信チャネル制御情報を無線通信装置１５に対して送信することにより、上り高速通信チャネルによる通信を開始する構成とした。しかし、図１７に示すように、無線基地局１３が、上り高速チャネル制御情報とは別の上り高速チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ４４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ５００）。上り高速通信チャネル通信開始許可通知を受信した無線通信装置１５は、上り高速通信チャネルによる通信を開始する。具体的には、上り高速通信チャネルを受信した無線通信装置１５の制御回路４１が、無線送受信機４０を介して無線基地局１３に対して、上り高速通信チャネルの送信を開始する（Ｓ４５）。
【０１４０】
図１６及び図１７の動作中の各パラメターは、実施例２と同様に、図１０に示されるように変遷する。図１０（Ａ）は、上り高速通信チャネルの送信電力の変遷を示している。初期状態においてゼロであった送信電力が、上り高速通信チャネル通信の開始（図１６または図１７のＳ４５に対応する）とともに立ち上がり、その後一定の値を保っている。図１０（Ｂ）は、無線通信装置１４または１５の送信する上り低速通信チャネルに関するインナーループ電力制御のインナーループ電力制御目標値の変遷を示している。上り高速通信チャネルによる通信の開始時点から待機時間だけ前に、インナーループ電力制御目標値が電力制御オフセット分だけ増加している（図１６または図１７のＳ４２に対応する）。さらに、上り高速通信チャネルによる通信の開始後に、インナーループ電力制御目標値が電力制御オフセット分だけ減少し、初期状態のインナーループ電力制御目標値に戻っている（図１６または図１７のＳ５１に対応する）。図１０（Ｃ）は、無線通信装置１４または１５の送信する上り低速通信チャネルの、無線基地局１３における受信品質の変遷を示している。上り高速通信チャネルによる通信の開始時点の待機時間だけ前の時点から、上り高速通信チャネルの開始時点にかけて、低速通信チャネルの受信品質が向上する。これは、上り高速電力制御のインナーループ電力制御目標値に電力制御オフセットが加算されたことに（図１６または図１７のＳ４２）よるものである。上り低速通信チャネルの受信品質は、上り高速通信チャネルによる通信の開始に伴い劣化する。この受信品質の劣化は、高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後もインナーループ電力制御は継続しているが、インナーループ電力制御目標値が初期状態のインナーループ電力制御目標値に戻るため（図１６または図１７のＳ５１に対応する）、低速通信チャネルの受信品質は初期状態のインナーループ電力制御目標値近辺に保たれる。図１０（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、その後一定の値を保っている。これは、インナーループ電力制御のインナーループ電力制御目標値に電力制御オフセットが加算されたこと（図１６または図１７のＳ４２）によるものである。
【０１４１】
図１０に示されるように、実施例５の構成を採用することにより、上り高速通信チャネルによる通信に伴い、上り低速通信チャネルの受信品質が必要な受信品質を下回ることがなくなる。
【０１４２】
実施例５において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。
【０１４３】
さらに、実施例５において、無線基地局１３が、直接または無線ネットワーク制御装置１１を介して、上り高速通信チャネルによる通信の開始に関する情報を、無線基地局１２に対して通知する構成を採用することも可能である。この場合、無線基地局１２が、図１６または１７のステップＳ４２、Ｓ４３、及びＳ５１を行う。このような構成を採用することにより、上り高速通信チャネルによる通信が隣接無線基地局の通信チャネルによる通信に与える影響を軽減することができる。
【０１４４】
好ましくは、上り高速通信チャネルによる通信の開始に関する情報には、上り高速通信チャネルによる通信の開始要求若しく開始要求があったことの通知、電力制御オフセット、インナーループ電力制御目標値から電力制御オフセットを減算すべきことの通知、上り高速通信チャネルによる通信が開始されたことの通知、及び新たな電力制御目標値の少なくとも１つを含めることができる。
【０１４５】
また、好ましくは、インナーループ電力制御目標値に加算する電力制御オフセット及び新たなインナーループ電力制御目標値の少なくとも1つが、無線基地局１２で生成される構成、及び無線基地局１２に予め保持されている構成を採用することも可能である。
【実施例６】
【０１４６】
実施例６について、図１乃至図４、図１３、図１８、及び図１９を参照して説明する。図１は、実施例６の無線通信システムの構成を示している。ただし、図1には、本願発明の説明に必要な構成のみが示されている。実施例６の無線通信システムは、実施例４の無線通信システムと同様に、コアネットワーク１０と、無線ネットワーク制御装置１１と、無線基地局１２及び１３と、無線通信装置１４及び１５とから構成される（図１）。また、無線ネットワーク制御装置１１、無線基地局１２及び１３、無線通信装置１４及び１５は、実施例４と同様の構成を採用している（図２乃至図４）。ただし、無線ネットワーク制御装置１１の制御装置２１は、上り低速通信チャネルの通信品質を検出し、送受信機２０を介して、無線基地局１３との間でアウターループ電力制御を行う。アウターループ電力制御は、上り低速通信チャネルの通信品質と、アウターループ電力制御目標値とに基づいて、インナーループ電力制御目標値を調整するものである。また、無線基地局１３の制御回路３１は、送受信機３２を介して無線ネットワーク制御装置１１との間でアウターループ電力制御を行う。実施例６の無線通信システムは、上り高速通信チャネルによる通信開始に関する動作に無線ネットワーク制御装置１１が関与しない点で、実施例３の無線通信システムと異なり、無線基地局１３が、無線ネットワーク制御装置１１との間でアウターループ電力制御を行う点で実施例４と異なる。
【０１４７】
図１８は、実施例６の無線通信ネットワークの動作を示している。初期の状態から、他の動作に関係なく、無線基地局１３と無線通信装置１４及び１５との間で、上り低速通信チャネルに関するインナーループ電力制御が継続して行われている。また、初期状態から、無線ネットワーク制御装置１１と無線基地局１３との間で、上り低速通信チャネルに関するアウターループ電力制御が行われている。Ｓ４０乃至Ｓ４５は、実施例４（図１４）と同様の動作である。ただし、低速通信チャネルに関するインナーループ電力制御のインナーループ電力制御目標値に電力制御オフセットを加算し（Ｓ４２）、待機状態（Ｓ４３）の無線基地局１３は、上り低速通信チャネルに関するアウターループ電力制御を停止する。具体的には、制御回路２１が、上り低速通信チャネルに関するアウターループ電力制御を停止する。好ましくは、制御回路２１は、無線ネットワーク制御装置１１からアウターループ電力制御に関する情報を受信したとしても、受信したアウターループ電力制御に関する情報をインナーループ電力制御目標値の調整に反映しないことにより（インナーループ電力制御目標値を一定値に保つことにより）、アウターループ電力制御を停止することができる（Ｓ６００）。
【０１４８】
上り高速通信チャネルによる通信を開始した無線通信装置１５は、無線基地局１３に対して、上り高速通信チャネルによる通信を開始したことを通知する。上り高速通信チャネルによる通信を開始したことの通知を受信した無線基地局１３は、上り低速通信チャネルに関するアウターループ電力制御を開始する。具体的には、無線通信装置１５の制御回路４１が、無線送受信機４０を介して、無線基地局１３に対して、上り高速通信チャネルによる通信を開始したこととの通知を送信する。無線基地局１３の制御回路３１は、無線送受信機３０を介して上り高速通信チャネルによる通信を開始したことの通知を受信する。さらに、無線基地局１３の制御回路３１は上り低速通信チャネルに関するアウターループ電力制御を開始する（Ｓ６０１、Ｓ６０２）。
【０１４９】
ここでは、無線通信装置１５が、無線基地局１３に対して上り高速通信チャネルによる通信を開始したことを通知する（Ｓ６０１）構成を説明した。しかし、Ｓ６０１を省略する構成とすることも可能である。この場合、無線基地局１３は、上り高速通信チャネルによる通信の開始を認識すると、上り低速通信チャネルに関するアウターループ電力制御を開始する（Ｓ６０２）。ここでは、例えば、無線基地局１３が、待機時間情報に基づいて、上り高速通信チャネルによる通信の開始を認識する構成を採用することができる。
【０１５０】
図１８においては、無線基地局１３が、上り高速通信チャネル制御情報を無線通信装置１５に対して送信することにより、上り高速通信チャネルによる通信を開始する構成とした。しかし、図１９に示すように、無線基地局１３が、上り高速チャネル制御情報とは別の上り高速チャネル通信開始許可通知を無線通信装置１５に送信することによって、上り高速通信チャネルによる通信を開始する構成を採用することも可能である。この場合、無線基地局１３は、上り高速通信チャネル通信開始許可通知の送信よりも前に、上り高速通信チャネル制御情報を無線基地局１５に対して送信する（Ｓ４４）。無線基地局１３は、待機時間の経過後、無線通信装置１５に対して、上り高速通信チャネル通信開始許可通知を通知する。具体的には、無線基地局１３の制御回路３１が、待機時間の経過後、無線送受信機３２を介して、無線通信装置１５に対して上り高速通信チャネル通信開始許可通知を送信する。無線通信装置１５の制御装置４１は、無線送受信機４０を介して、上り高速通信チャネル通信開始許可通知を受信する（Ｓ６０３）。上り高速通信チャネル通信開始許可通知を受信した無線通信装置１５は、上り高速通信チャネルによる通信を開始する。具体的には、上り高速通信チャネルを受信した無線通信装置１５の制御回路４１が、無線送受信機４０を介して無線基地局１３に対して、上り高速通信チャネルの送信を開始する（Ｓ４５）。
【０１５１】
図１８及び図１９の動作中の各パラメターは、実施例３と同様に、図１３に示されるように変遷する。図１３（Ａ）は、上り高速通信チャネルの送信電力の変遷を示している。初期状態においてゼロであった送信電力が、上り高速通信チャネル通信の開始（図１８または図１９のＳ４５に対応する）とともに立ち上がり、その後一定の値を保っている。図１３（Ｂ）は、無線通信装置１４または１５の送信する上り低速通信チャネルに関するインナーループ電力制御のインナーループ電力制御目標値の変遷を示している。上り高速通信チャネルによる通信の開始時点から待機時間だけ前に、インナーループ電力制御目標値が電力制御オフセット分だけ増加している。さらに、上り高速通信チャネルによる通信の開始後に、インナーループ電力制御目標値が電力制御オフセット分だけ減少し、初期状態のインナーループ電力制御目標値に戻っている。インナーループ電力制御目標値の増加は、電力制御オフセットの加算（図１８または図１９のＳ４２に対応する）とアウターループ電力制御の停止（図１８または図１９のＳ６００に対応する）に起因するものである。インナーループ電力制御目標値の減少は、アウターループ電力制御が開始されたこと（図１８または図１９のＳ６０２に対応する）に起因するものである。図１３（Ｃ）は、無線通信装置１４または１５の送信する上り低速通信チャネルの、無線基地局１３における受信品質の変遷を示している。上り高速通信チャネルによる通信の開始時点の待機時間だけ前から、上り高速通信チャネルの開始時点にかけて、低速通信チャネルの受信品質が向上する。これは、上りインナーループ電力制御のインナーループ電力制御目標値に電力制御オフセットが加算されたことに（図１８または図１９のＳ４２）よるものである。上り低速通信チャネルの受信品質は、上り高速通信チャネルによる通信の開始に伴い劣化する。この受信品質の劣化は、上り高速通信チャネルによる干渉電力の増加等によるものである。しかし、上り高速通信チャネルによる通信の開始前に、上り低速通信チャネルの受信品質が向上しているため、上り高速通信チャネルによる通信の開始に伴って劣化した場合にも、上り低速通信チャネルの受信品質が必要な受信品質を下回ることはない。上り高速通信チャネルによる通信の開始後もインナーループ電力制御は継続しているが、停止されていたアウターループ電力制御が開始されることによってインナーループ電力制御目標値が初期状態のインナーループ電力制御目標値に戻るため（図１８または図１９のＳ６０２）に対応する）、低速通信チャネルの受信品質は、一端は過剰に向上するものの、最終的には初期状態のインナーループ電力制御目標値近辺に保たれる。図１３（Ｄ）は、無線通信装置１４または１５の送信する上り低速通信チャネルの送信電力の変遷を示している。上り高速通信チャネルによる通信の開始よりも待機時間だけ前から、上り低速通信チャネルの送信電力は増加し始め、一端は過剰に増加するものの、その後減少し一定の値を保っている。上り低速通信チャネルの送信電力の増加は、アウターループ電力制御が停止された状態でインナーループ電力制御のインナーループ電力制御目標値に電力制御オフセットが加算されたこと（図１８または図１９のＳ４２）によるものである。また、上り低速通信チャネルの送信電力の減少は、アウターループ電力制御が開始されたこと（図１８または図１９のＳ６０２に対応する）によるものである。
【０１５２】
図１３に示されるように、実施例６の構成を採用することにより、上り高速通信チャネルによる通信に伴い、上り低速通信チャネルの受信品質が必要な受信品質を下回ることがなくなる。
【０１５３】
実施例６において、上り高速通信チャネル制御情報に、上り高速通信チャネルによる通信の開始時期に関する情報が含まれている構成を採用することも可能である。この場合、無線通信装置１５は、上り高速通信チャネル制御情報として受信した開始時期に関する情報に基づいて、上り高速通信チャネルの送信を開始する。具体的には、無線送受信機４０を介して上り高速通信チャネルによる通信の開始時期に関する情報を受信した無線通信装置１５の制御回路４１は、受信した開始時期に関する情報に基づき、無線送受信機４０を介して無線基地局１３に対する上り高速通信チャネルの送信を開始する。この場合、ステップ６０２を省略することができる。
【０１５４】
また、実施例６においては、上り高速通信チャネルによる通信開始後に、電力制御オフセットを加算したインナーループ電力制御目標値から電量制御オフセットを減算しない構成を採用している。しかし、実施例６においても、実施例５のように、上り高速通信チャネルによる通信の開始後に、電力オフセットを加算したインナーループ電力制御目標値から電力制御オフセットを減算する構成を採用することが可能である。
【０１５５】
さらに、実施例６において、無線基地局１３が、直接または無線ネットワーク制御装置１１を介して、上り高速通信チャネルによる通信の開始に関する情報を、無線基地局１２に対して通知する構成を採用することも可能である。この場合、無線基地局１２が、図１８または１９のステップＳ４２、Ｓ４３、Ｓ６００、及びＳ６０２を行う。また、このような構成を採用することにより、上り高速通信チャネルによる通信が隣接無線基地局の通信チャネルによる通信に与える影響を軽減することができる。
【０１５６】
好ましくは、上り高速通信チャネルによる通信の開始に関する情報には、上り高速通信チャネルによる通信の開始要求若しく開始要求があったことの通知、電力制御オフセット、インナーループ電力制御目標値から電力制御オフセットを減算すべきことの通知、上り高速通信チャネルによる通信が開始されたことの通知、及び新たな電力制御目標値の少なくとも１つを含めることができる。
【０１５７】
また、好ましくは、インナーループ電力制御目標値に加算する電力制御オフセット及び新たなインナーループ電力制御目標値の少なくとも1つが、無線基地局１２で生成される構成、及び無線基地局１２に予め保持されている構成を採用することも可能である。
【０１５８】
好ましくは、本願発明の実施例１乃至６の電力制御オフセット及び新たなインナーループ電力制御目標値は、異なる無線通信装置について同じ値とすることも、それぞれ異なる値とすることも可能である。
【０１５９】
好ましくは、本願発明の実施例１乃至６の無線通信システムに、携帯電話通信システム（PDC方式、GSM方式、CDMA方式等）、無線LAN通信システム等の無線通信システムを適用することができる。また、図１において、無線ネットワーク制御装置を１つ、無線基地局を２つ、無線通信装置を２つとする構成を採用している。しかし、本願発明実施例１乃至６の無線通信システムは、無線ネットワーク制御装置を2以上、無線基地局を１つ又は３以上、無線通信装置を１つ又は３以上とする構成を採用することも可能である。
【０１６０】
好ましくは、本願発明の実施例１乃至６の無線基地局には、IMT-2000に規定される無線基地局（例えば、W-CDMAシステムにおけるNode-B、cdma2000システムにおけるBS(Base Station)）、さらには、GSMシステムにおける無線基地局（BSS（Base Station System)）、IS-95システムにおける無線基地局等、様々なシステムの無線基地局を適用することができる。
【０１６１】
好ましくは、本願発明の実施例１乃至６の無線ネットワーク制御装置１０に、IMT-2000に規定される無線ネットワーク制御システム、（例えばW-CDMAシステムにおけるRNC（Radio Network Controller)、cdma2000システムにおけるMSC(Mobile Switching Center)等）、さらには、GSMシステムにおける無線ネットワーク制御装置（MSC（Mobile-service Switching Center）)、IS-95システムにおける無線ネットワーク制御装置等、様々なシステムの無線ネットワーク制御装置を適用することができる。
【０１６２】
好ましくは、本願発明の実施例１乃至６の無線通信装置には、IMT-2000に規定される無線通信装置（例えば、W-CDMAシステムにおけるUE（User Equipment)、cdma2000システムにおけるMS(Mobile Station)）、さらには、GSMシステムにおける無線通信装置（MS（Mobile Station)）、IS-95システムにおける無線通信装置等、様々なシステムの無線通信装置を適用することができる。
【０１６３】
好ましくは、本願発明の実施例１乃至６の上り低速通信チャネルには、W-CDMA通信システムにおけるDCH（Dedicated Channel）（3GPP TS 25.211 V3.12.0)を、上り高速通信チャネルにはEUDCH（Enhanced Uplink DCH）（3GPP TR 25.896 V6.0.0)を適用することができる。
【０１６４】
好ましくは、本願発明の実施例１乃至６の上り高速通信チャネルの送信電力は、上り低速通信チャネルの送信電力よりも大きいものとすることができる。この場合、上り高速通信チャネルの送信電力が、上り低速通信チャネルの送信電力と同程度、若しくは小さい場合に比べて、上り高速通信チャネルによる通信に起因する上り低速通信チャネルの受信品質劣化が大きくなる。従って、本発明を適用することによる効果はより顕著なものとなる。
【０１６５】
好ましくは、本願発明の実施例のインナーループ電力制御には、IMT-2000に規定されるW-CDMA通信システム、cdma2000通信システム等や、または、IS-95に規定される通信システムにおけるUplink power control（例えば3GPP TS 25.214 V3.12.0)を適用することができる。
【０１６６】
好ましくは、本願発明の実施例１乃至６のアウターループ電力制御には、IMT-2000に規定されるW-CDMA通信システム、cdma2000通信システム、またはIS-95で規定される通信システム等におけるにアウターループ電力制御を適用することができる。
【０１６７】
好ましくは、本願発明の実施例１乃至６の開始要求に関する情報には、開始要求そのものが含まれる構成を採用することもできる。即ち、無線通信装置１５が送信した開始要求が、無線基地局１３を通過してそのまま無線ネットワーク制御装置１１によって受信される構成を採用することもできる。
【０１６８】
好ましくは、本願発明の実施例１乃至６の待機時間情報はインナーループ電力制御の速度と電力制御オフセットとに基づいて生成される構成を採用することも可能である。例えば、インナーループ電力制御の制御速度に基づき、電力制御オフセット分だけ受信品質が向上するために必要な時間を求め、その必要な時間、またはその必要な時間以上の時間を待機時間とする構成を採用することが可能である。また、好ましくは、本願発明の実施例１乃至６の待機時間情報は、予め定められ、無線ネットワーク制御装置１１または無線基地局１３に保持されている情報とすることもできる。
【０１６９】
好ましくは、本願発明の実施例１乃至６の上り低速通信チャネルの受信品質及びインナーループ電力制御目標値は、信号対干渉波電力（Signal to Interference Ratio)、または１ビットあたりの信号対干渉波電力（Eb/No）等で表現することが可能である。
【０１７０】
好ましくは、本願発明の実施例１乃至６の上り低速通信チャネルの通信品質及びアウターループ電力制御目標値は、ビットエラーレート(Bit Error Rate)、フレームエラーレート(Frame Error Rate)、ブロックエラーレート（Block Error Rate)、CRC（Cyclic Redundancy Code)等で表現することが可能である。
【０１７１】
好ましくは、本願発明の実施例１乃至６の上り高速通信チャネル制御情報は、最大送信電力、送信タイミング、拡散コード、データレートのうちの少なくとも1つを含むものとすることが可能である。
【０１７２】
本願実施例１乃至６においては、上り高速通信チャネルによる通信は、開始された後、連続的に継続する構成を採用した。しかし、本願実施例１乃至６においては、上り高速通信チャネルによる通信が断続的に開始及び停止を繰り返す構成を採用することも可能である。
【０１７３】
図７、図１０、及び図１３に示されるように、実施例１乃至６においては、電力制御オフセットと、上り高速通信チャネルによる通信の開始に起因する低速通信チャネルの受信品質劣化量とを一致させているが、これらは必ずしも一致している必要はない。例えば、電力制御オフセットを受信品質劣化量よりも大きくすることはもちろん、受信品質劣化量よりも小さくすることも可能である。電力制御オフセットを受信品質劣化量よりも小さくした場合にも、上り高速通信チャネルによる通信の開始時点において低速通信チャネルの受信品質が初期の電力制御目標に比べて向上していれば、上り高速通信チャネルによる通信に起因する低速通信チャネルの受信品質の劣化が、低速通信チャネルによる通信に与える影響を軽減することができる。
【０１７４】
図１０に示されるように、本願発明の実施例２、３、５、６においては、上り高速通信チャネルによる通信の開始時点と電力制御オフセットを減算する時点とを一致若しくはほぼ一致させているが、これらの時点は必ずしも一致若しくはほぼ一致している必要はない。例えば、電力オフセットを減算する時点は、上り高速通信チャネルによる通信の開始時点よりも後にすることはもちろん、上り高速通信チャネルによる通信の開始時点よりも前とすることも可能である。電力オフセットを減算する時点を上り高速通信チャネルによる通信の開始時点よりも前とした場合であっても、上り高速通信チャネルによる通信の開始時点において低速通信チャネルの受信品質が初期の電力制御目標に比べて向上していれば、上り高速通信チャネルによる通信に起因する低速通信チャネルの受信品質の劣化が、低速通信チャネルによる通信に与える影響を軽減することができる。
【０１７５】
図１３に示されるように、本願発明の実施例３及び６においては、アウターループ電力制御の開始時点を、上り高速通信チャネルによる通信の開始時点よりも後としているが、必ずしも、アウターループ電力制御の開始時点を、上り高速通信チャネルによる通信の開始時点よりも後とする必要はない。例えば、アウターループ電力制御の開始時点を、上り高速通信チャネルによる通信の開始時点と一致させることも、上り高速通信チャネルによる通信の開始時点よりも前とすることも可能である。このような場合であっても、上り高速通信チャネルによる通信の開始時点において低速通信チャネルの受信品質が初期の電力制御目標に比べて向上していれば、上り高速通信チャネルによる通信に起因する低速通信チャネルの受信品質の劣化が、低速通信チャネルによる通信に与える影響を軽減することができる。
【０１７６】
図１３に示されるように、本願発明の実施例３及び６においては、アウターループ電力制御の制御ステップと、電力制御オフセットとが一致若しくはほぼ一致しているが、これらは必ずしも一致している必要はない。たとえ、アウターループ電力制御の制御ステップが、電力制御オフセットよりも大きい場合であっても、上り高速通信チャネルによる通信の開始時点において低速通信チャネルの受信品質が初期の電力制御目標に比べて向上していれば、上り高速通信チャネルによる通信に起因する低速通信チャネルの受信品質の劣化が、低速通信チャネルによる通信に与える影響を軽減することができる。
【０１７７】
好ましくは、本願発明の実施例１乃至６における、無線通信装置１５の送信する上り低速通信チャネルに関する電力制御オフセットは、以下の条件の少なくとも1つを考慮して生成することができる。(i)上り高速通信チャネルによる干渉電力の増加量。(ii)インナーループ電力制御目標値に電力制御オフセットを加算したことによる無線通信装置１５自身が送信する上り低速通信チャネルの受信電力増加。(iii)無線通信装置１５以外の無線通信装置（無線通信装置１４を含む）に関するインナーループ電力制御目標値に電力制御オフセットを加算した場合の、無線通信装置１５以外の無線通信装置の送信する上り低速通信チャネルによる干渉電力の増加量。（iV)無線基地局に接続している無線通信装置の数。また、好ましくは、電力制御オフセットは、上り低速通信チャネルによる通信のＱｏＳ（Quality of Service）に基づいて生成することもできる。さらに、電力制御オフセットは、予め用意されたテーブルから選択することによって生成することもできる。
【０１７８】
好ましくは、電力制御オフセットは、以下に説明するような方法によって生成することができる。ただし以下の方法は、電力制御オフセット生成方法の１例であり、本願発明はこの方法を採用することに限定されるものではない。
【０１７９】
まず、無線送通信装置１４の存在を考慮し、上り高速通信チャネルの送信を開始する無線通信装置１５に関するインナーループ電力制御の電力制御オフセットを求める。無線通信装置１４及び１５に関する電力制御オフセットをそれぞれΔＳ１及びΔＳ２とする。無線通信装置１４の送信する上り低速通信チャンネルについて、受信品質をＳ１（Ｘ１、Ｘ２、Ｙ）、インナーループ電力制御目標値に電力制御オフセットを加算する前の受信電力をＣ１、電力制御オフセットを加算したことによる受信電力増加量をΔＣ１とする。無線通信装置１５の送信する上り低速通信チャンネルについて、受信品質をＳ２（Ｘ１、Ｘ２、Ｙ）、インナーループ電力制御目標値に電力制御オフセットを加算する前の受信電力をＣ２、電力制御オフセットを加算したことによる受信電力増加量をΔＣ２とする。また、無線通信装置１５の送信する上り高速通信チャネルの受信電力をＣｅｕとする。さらにガウスノイズをＮとする。Ｘ１、Ｘ２、及びＹは、それぞれ、無線通信装置１４の送信する上り低速通信チャネルの受信電力、無線通信装置１５の送信する上り低速通信チャネルの受信電力、及び上り高速通信チャネルの受信電力を表す変数である。ここで、ΔＣ１及びΔＣ２が未知数であり、他のパラメターは既知の値である。
【０１８０】
インナーループ電力制御目標値に電力制御オフセットを加算し、十分時間が経過した後、無線通信装置１４及び１５それぞれが送信する上り低速通信チャネルの受信電力は、それぞれＣ１＋ΔＣ１及びＣ２＋ΔＣ２となる。ここで、電力制御オフセットを、上り高速通信チャネルによる通信の開始に起因する受信品質の劣化量と等しくすると仮定する。この場合、電力制御オフセットを加算する前（上り高速通信チャネル送信開始前）の受信品質Ｓ１（Ｃ１、Ｃ２、０）及びＳ２（Ｃ１、Ｃ２、０）それぞれは、インナーループ電力制御目標値に電力制御オフセットを加算してから十分時間が経過した後、上り高速通信チャネルによる通信開始した直後の受信品質Ｓ１（Ｃ１＋ΔＣ１、Ｃ２＋ΔＣ２、Ｃｅｕ）及びＳ２（Ｃ１＋ΔＣ１、Ｃ２＋ΔＣ２、Ｃｅｕ）と等しくなる。即ち、下記の式１及び式２が成立する。
【０１８１】
Ｓ１（Ｃ１、Ｃ２、０）＝Ｓ１（Ｃ１＋ΔＣ１、Ｃ２＋ΔＣ２、Ｃｅｕ）  （式１）
Ｓ２（Ｃ１、Ｃ２、０）＝Ｓ２（Ｃ１＋ΔＣ１、Ｃ２＋ΔＣ２、Ｃｅｕ）  （式２）
式１及び式２から未知数ΔＣ１及びΔＣ２を求めることがきる。従って、電力制御オフセットは、電力制御オフセットを加算してから十分時間が経過し、かつ上り高速通信チャネルによる通信の開始前の受信品質から、電力制御オフセットを加算する前（上り高速通信チャネル送信開始前）の受信品質を差し引いたものとして求められる。即ち、下記の式３及び式４のように求めることがきる。
【０１８２】
ΔＳ＝Ｓ１（Ｃ１＋ΔＣ１、Ｃ２＋ΔＣ２、０）−Ｓ１（Ｃ１、Ｃ２、０）（式３）
ΔＳ＝Ｓ２（Ｃ１＋ΔＣ１、Ｃ２＋ΔＣ２、０）−Ｓ２（Ｃ１、Ｃ２、０）（式４）
式１乃至４は無線通信装置が２つの場合についての式である。無線通信装置がｍ個ある場合には、式１乃至４を拡張した下記の式５及び６を解くことによって、ｋ番目の無線通信装置についての電力制御オフセットΔＳｋを求めることができる。
【０１８３】
Ｓｋ（Ｃ１、Ｃ２…Ｃｍ、０）＝Ｓｋ（Ｃ１＋ΔＣ１、Ｃ２＋ΔＣ２、…Ｃｍ＋ΔＣｍ、Ｃｅｕ）  （ｋ＝１、２  …ｍ）  （式５）
ΔＳｋ＝Ｓｋ（Ｃ１＋ΔＣ１、Ｃ２＋ΔＣ２、…Ｃｍ＋ΔＣｍ、０）−Ｓｋ（Ｃ１、Ｃ２…Ｃｍ、０）  （ｋ＝１、２、ｍ）  （式６）
例えば、関数Ｓｋは式７のように表すことができる。
2006135485.tif 000003
ここで、Ｓｋ及びＸkは、それぞれｋ番目の無線通信装置の送信する上り低速通信チャネルの受信電力及び受信品質を表す。また、ＳＦは既知の拡散率を表す。ＳＦは、無線通信装置ごとにことなる値とすることもできる。
【図面の簡単な説明】
【０１８４】
【図１】本願発明の無線通信システムの構成を示す図である。
【図２】本願発明の無線ネットワーク制御装置の構成を示す図である。
【図３】本願発明の無線基地局の構成を示す図である。
【図４】本願発明の無線通信装置の構成を示す図である。
【図５】本願発明の無線通信システムの動作を示す図である。
【図６】本願発明の無線通信システムの動作を示す図である。
【図７】本願発明の無線通信システムにおける各パラメターの変遷を示す図である。
【図８】本願発明の無線通信システムの動作を示す図である。
【図９】本願発明の無線通信システムの動作を示す図である。
【図１０】本願発明の無線通信システムにおける各パラメターの変遷を示す図である。
【図１１】本願発明の無線通信システムの動作を示す図である。
【図１２】本願発明の無線通信システムの動作を示す図である。
【図１３】本願発明の無線通信システムにおける各パラメターの変遷を示す図である。
【図１４】本願発明の無線通信システムの動作を示す図である。
【図１５】本願発明の無線通信システムの動作を示す図である。
【図１６】本願発明の無線通信システムの動作を示す図である。
【図１７】本願発明の無線通信システムの動作を示す図である。
【図１８】本願発明の無線通信システムの動作を示す図である。
【図１９】本願発明の無線通信システムの動作を示す図である。
【図２０】従来の無線通信システムにおける各パラメターの変遷を示す図である。
【符号の説明】
【０１８５】
１０  コアネットワーク
１１  無線ネットワーク制御装置
１２  無線基地局
１３  無線基地局
１４  無線通信装置
１５  無線通信装置
２０  送受信機
２１  制御回路
２３  送受信機
３０  無線送受信機
３１  制御回路
３２  送受信機
４０  無線送受信機
４１  制御回路
【図１】
2006135485.tif 000004
【図２】
2006135485.tif 000005
【図３】
2006135485.tif 000006
【図４】
2006135485.tif 000007
【図５】
2006135485.tif 000008
【図６】
2006135485.tif 000009
【図７】
2006135485.tif 000010
【図８】
2006135485.tif 000011
【図９】
2006135485.tif 000012
【図１０】
2006135485.tif 000013
【図１１】
2006135485.tif 000014
【図１２】
2006135485.tif 000015
【図１３】
2006135485.tif 000016
【図１４】
2006135485.tif 000017
【図１５】
2006135485.tif 000018
【図１６】
2006135485.tif 000019
【図１７】
2006135485.tif 000020
【図１８】
2006135485.tif 000021
【図１９】
2006135485.tif 000022
【図２０】
2006135485.tif 000023